(57)【要約】  通信帯（例えば、ｍｍＷ）を介した指向性データ送信を利用して、ｍｍＷメッシュネットワーク発見のスキャンを支援する発見動作を発見帯（例えば、ｓｕｂ−６ＧＨｚ）を介して実行する無線通信装置／システム／方法。既存のネットワークノード（ＡＰ又はＢＳＳ  ＳＴＡ）が、発見支援の利用可能性を示すビーコンを発見帯を介して送信する。新規ノードが、指向性通信能力を有する発見支援要素を含む支援要求を発見帯を介して送信し、既存のノードが、同様の発見支援要素でこれに応答する。次に、指向性通信帯を介して既存のノードと新規ノードとの間のビームフォーミングプロセスが開始し、この後に通信が確立される。時分割二重（ＴＤＤ）サービス期間（ＳＰ）、及び複数の通信チャネルをサポートする実装について説明する。【選択図】      図３０
2021525488.tif 000002
【特許請求の範囲】
【請求項１】
ネットワークにおける無線通信装置であって、
（ａ）発見帯及び指向性通信帯を含むマルチバンド通信能力を有する少なくとも１つの他の無線通信局と無線で通信するように構成された無線通信回路と、
（ｂ）無線ネットワーク上で動作するように構成された局内の、前記無線通信回路に結合されたプロセッサと、
（ｃ）前記プロセッサが実行できる命令を記憶した非一時的メモリと、
を備え、
（ｄ）前記命令は、前記プロセッサによって実行された時に、
（ｉ）
（Ａ）前記指向性通信帯について発見支援能力が利用可能であるかどうかを示すいずれかのメッセージフレームを前記発見帯で送信することによって自機の発見支援能力を通知するステップと、
（Ｂ）前記無線ネットワークに参加しようと試みるいずれかの新規ノードから発見支援要求を受け取ったことに応答して生成される、新規ノードの指向性通信能力に関する情報を有する発見支援要素を含むメッセージを前記発見帯で送信するステップと、
（Ｃ）交換された発見支援要素において受け取られた情報に従って、前記指向性通信帯とビームフォーミングとを切り替えるステップと、
（Ｄ）前記ビームフォーミングプロセス中に受け取られた指向性情報に応答して、前記指向性通信帯を介して接続設定を確立するステップと、
を実行することによって、前記無線通信回路を、前記無線ネットワークに参加しようと試みるいずれかの新規ノードを支援するように構成された、前記無線ネットワークに既に接続されているネットワークノードとして動作させるステップと、
（ｉｉ）
（Ａ）前記無線ネットワークに既に接続されている前記ネットワークノードから、前記発見帯を介して、発見支援能力の指示を含むメッセージフレームを受け取るステップと、
（Ｂ）前記無線ネットワークに既に接続されている前記ネットワークノードに、前記発見帯を介して、新規ノードの指向性通信能力に関する情報を有する発見支援要素を含む要求メッセージを送信するステップと、
（Ｃ）前記無線ネットワークに既に接続されている前記ネットワークノードから、前記発見帯を介して、発見支援要素を含む応答メッセージとしての前記要求メッセージに対する応答を受け取るステップと、
（Ｄ）交換された発見支援要素支援要求及び発見支援応答交換において受け取られた情報に従って、前記指向性通信帯及びビームフォーミングに切り替えて、前記新規ノードをビームフォーミングプロセスにおいて発見するステップと、
（Ｅ）前記ビームフォーミングプロセス中に受け取られた指向性情報に応答して、前記指向性通信帯を介した接続設定を確立するステップと、
を実行することによって、前記無線通信回路を、前記無線ネットワークに参加しようと試みる新規ノードとして動作させるステップと、
を実行する、ことを特徴とする装置。
【請求項２】
前記命令は、前記無線ネットワークに既に接続されているネットワークノード及び前記新規ノードのためのステップを実行する前記プロセッサによって実行された時に、発見及びビームフォーミングを最適化するために指向性通信帯能力に関する情報を交換するステップをさらに含む、
請求項１に記載の装置。
【請求項３】
前記発見支援要素は、前記新規ノードから要求を受け取った時に前記新規ノードとの発見支援に従事する、前記無線ネットワークに既に接続されている前記ネットワークノードの利用可能性に関する情報を含む、
請求項１に記載の装置。
【請求項４】
前記発見支援要素は、ビームフォーミング又は発見シグナリングが開始すべきトリガ時間に関する情報を含む、
請求項３に記載の装置。
【請求項５】
前記発見支援要素は、実行すべきビームフォーミングのタイプ、及び前記新規ノード又は前記無線ネットワークに既に接続されているネットワークノードがビームフォーミングフレーム交換を開始すべきであるかどうかに関する情報を含む、
請求項１に記載の装置。
【請求項６】
前記発見支援要素は、前記無線ネットワークに既に接続されている前記ネットワークノードのビームフォーミングプロセス又は発見信号送信を繰り返す周期性、及び前記無線ネットワークに既に接続されている前記ネットワークノードが発見支援モードに留まる予定の時間長に関する情報を含む、
請求項１に記載の装置。
【請求項７】
前記発見支援要素は、受信機アンテナパターンスキャン周波数に関する情報を含む、
請求項１に記載の装置。
【請求項８】
前記命令は、前記プロセッサによって実行された時に、発見支援を要求する前記新規ノードが、そのマルチバンド能力及び指向性通信帯能力を含む発見支援要素を伝えて、前記無線ネットワークに既に接続されているネットワークノードにその能力を通知するステップを実行する、
請求項１に記載の装置。
【請求項９】
前記発見支援要素は、局アドレス、指向性通信帯能力情報、アンテナ能力情報、通信帯情報、通信帯スキャンモード、発見支援ウィンドウ、及びドゥエルタイムを含む、
請求項１に記載の装置。
【請求項１０】
前記命令は、前記無線ネットワークに既に接続されていて前記ビームフォーミングプロセスを開始するネットワークノードとしてのステップを実行する前記プロセッサによって実行された時に、前記新規ノードとのトリガされたビームフォーミング又はスケジュールされたビームフォーミングのいずれかによる発見支援をオファーするステップと、前記新規ノードにビームフォーミングスケジュール又はビームフォーミングトリガに関する情報を送信するステップとをさらに含む、
請求項１に記載の装置。
【請求項１１】
前記命令は、前記無線ネットワークに既に接続されているネットワークノードとしてのステップを実行するプロセッサによって実行された時に、ＴＤＤサービス期間（ＳＰ）をサポートすることを前記発見帯を介して示す新規ノードの発見支援要求及び指向性通信帯能力を受け取った後に、時分割二重（ＴＤＤ）ビームフォーミングを使用する前記新規ノードとのトリガされたビームフォーミング又はスケジュールされたビームフォーミングの発見支援をオファーするステップをさらに含む、
請求項１に記載の装置。
【請求項１２】
前記命令は、前記無線ネットワークに既に接続されているネットワークノードとしてのステップを実行するプロセッサによって実行された時に、前記発見帯を介して前記新規ノードに、指向性通信帯ビームフォーミングスケジューリング情報又はトリガ時間を送信するステップをさらに含む、
請求項１１に記載の装置。
【請求項１３】
前記命令は、前記無線ネットワークに既に接続されているネットワークノードとしてのステップを実行するプロセッサによって実行された時に、前記発見帯を介して時分割二重（ＴＤＤ）サービス期間（ＳＰ）スロット構造及びスケジューリング情報を送信するステップをさらに含む、
請求項１２に記載の装置。
【請求項１４】
前記命令は、新規ノードとしてのステップを実行するプロセッサによって実行された時に、発見支援を要求している各チャネルのマルチバンド要素及び指向性通信帯能力を有する発見支援要素を含む要求メッセージを送信することによって、前記指向性通信帯の複数のチャネルを介して発見支援を要求する前記発見帯を介して通信するステップをさらに含む、
請求項１に記載の装置。
【請求項１５】
前記命令は、前記無線ネットワークに既に接続されているネットワークノードとしてのステップを実行するプロセッサによって実行された時に、支援をオファーする予定の前記新規ノードの各チャネルのマルチバンド要素、指向性通信帯能力を含む発見支援要素を有する応答メッセージを送信することによって、前記新規ノードの発見支援要求に応答するステップを含む、
請求項１４に記載の装置。
【請求項１６】
前記命令は、前記無線ネットワークに既に接続されているネットワークノードとしてのステップを実行するプロセッサによって実行された時に、これらのチャネルの各々のスケジュールされたビームフォーミングを実行又はビームフォーミングをトリガするステップと、スケジュールされたビームフォーミングを実行すべきあらゆるチャネルについて前記発見帯を介したスケジュール要素を含めるステップとを含む、
請求項１５に記載の装置。
【請求項１７】
ネットワークにおける指向性無線通信方法であって、
（ａ）発見帯及び指向性通信帯を含むマルチバンド通信能力を有する少なくとも１つの他の無線通信局と無線で通信する無線通信回路を動作させるステップと、
（ｂ）
（ｉ）前記指向性通信帯について発見支援能力が利用可能であるかどうかを示すいずれかのメッセージフレームを前記発見帯で送信することによって自機の発見支援能力を通知するステップと、
（ｉｉ）前記無線ネットワークに参加しようと試みるいずれかの新規ノードから発見支援要求を受け取ったことに応答して生成される、新規ノードの指向性通信能力に関する情報を有する発見支援要素を含むメッセージを前記発見帯で送信するステップと、
（ｉｉｉ）交換された発見支援要素において受け取られた情報に従って、前記指向性通信帯とビームフォーミングとを切り替えるステップと、
（ｉｖ）前記ビームフォーミングプロセス中に受け取られた指向性情報に応答して、前記指向性通信帯を介して接続設定を確立するステップと、
を実行することによって、前記無線通信回路を、前記無線ネットワークに参加しようと試みるいずれかの新規ノードを支援するように構成された、前記無線ネットワークに既に接続されているネットワークノードとして動作させるステップと、
（ｃ）
（ｉ）前記無線ネットワークに既に接続されている前記ネットワークノードから、前記発見帯を介して、発見支援能力の指示を含むメッセージフレームを受け取るステップと、
（ｉｉ）前記無線ネットワークに既に接続されている前記ネットワークノードに、前記発見帯を介して、新規ノードの指向性通信能力に関する情報を有する発見支援要素を含む要求メッセージを送信するステップと、
（ｉｉｉ）前記無線ネットワークに既に接続されている前記ネットワークノードから、前記発見帯を介して、発見支援要素を含む応答メッセージとしての前記要求メッセージに対する応答を受け取るステップと、
（ｉｖ）交換された発見支援要素支援要求及び発見支援応答交換において受け取られた情報に従って、前記指向性通信帯及びビームフォーミングに切り替えて、前記新規ノードをビームフォーミングプロセスにおいて発見するステップと、
（ｖ）前記ビームフォーミングプロセス中に受け取られた指向性情報に応答して、前記指向性通信帯を介した接続設定を確立するステップと、
を実行することによって、前記無線通信回路を、前記無線ネットワークに参加しようと試みる新規ノードとして動作させるステップと、
を含むことを特徴とする方法。
【請求項１８】
前記発見支援要素は、前記新規ノードから要求を受け取った時に前記新規ノードとの発見支援に従事する、前記無線ネットワークに既に接続されている前記ネットワークノードの利用可能性に関する情報を含む、
請求項１７に記載の方法。
【請求項１９】
前記発見支援要素は、実行すべきビームフォーミングのタイプ、及び前記新規ノード又は前記無線ネットワークに既に接続されているネットワークノードがビームフォーミングフレーム交換を開始すべきであるかどうかに関する情報を含む、
請求項１７に記載の方法。
【請求項２０】
前記新規ノードが、発見支援を要求している各チャネルのマルチバンド要素及び指向性通信帯能力を有する発見支援要素を含む要求メッセージを送信することによって、前記指向性通信帯の複数のチャネルを介して発見支援を要求する前記発見帯を介して通信するステップをさらに含む、
請求項１７に記載の方法。
【発明の詳細な説明】
【技術分野】
【０００１】
〔関連出願との相互参照〕
本出願は、２０１８年５月３０日に出願された米国仮特許出願第６２／６７７，７９２号に対する優先権及びその利益を主張するものであり、この文献はその全体が引用により本明細書に組み入られる。
【０００２】
〔連邦政府が支援する研究又は開発に関する記述〕
該当なし
【０００３】
〔コンピュータプログラム付属書の引用による組み入れ〕
該当なし
【０００４】
〔著作権保護を受ける資料の通知〕
本特許文献中の資料の一部は、アメリカ合衆国及びその他の国の著作権法の下で著作権保護を受けることができる。著作権の権利所有者は、合衆国特許商標庁の一般公開ファイル又は記録内に表される通りに第三者が特許文献又は特許開示を複製することには異議を唱えないが、それ以外は全ての著作権を留保する。著作権所有者は、限定ではないが米国特許法施行規則§１．１４に従う権利を含め、本特許文献を秘密裏に保持しておく権利のいずれも本明細書によって放棄するものではない。
【０００５】
本開示の技術は、一般に指向性ミリメートル波（ｍｍ）無線ネットワーク通信に関し、具体的には低帯域シグナリングによるｍｍＷ発見支援のスケジューリング及びトリガに関する。
【背景技術】
【０００６】
メッシュネットワーク、並びにメッシュ及び非メッシュネットワークの混合を含む、特にミリメートル波長（ｍｍ波又はｍｍＷ）形態の無線ネットワークがますます重要になってきている。この高容量ニーズを受けて、ネットワークオペレータらは高密度化を達成する様々な概念を受け入れ始めた。現在のｓｕｂ−６ＧＨｚ無線技術は、高データ需要に対処するには十分でない。１つの選択肢は、しばしばミリメートル波帯（ｍｍＷ）と呼ばれる３０〜３００ＧＨｚ帯のさらなるスペクトルを利用することである。
【０００７】
一般に、ｍｍＷ無線システムを利用するには、高周波帯のチャネル障害及び伝搬特性に正しく対応する必要がある。高自由空間経路損失、高い侵入損失、反射損失及び回折損失は、利用可能なダイバーシチを低減し、見通し外（ＮＬＯＳ）通信を制限する。一方で、ｍｍＷの短波長は、実用的な寸法の高利得電子操作型指向性アンテナ（ｈｉｇｈ−ｇａｉｎ  ｅｌｅｃｔｒｏｎｉｃａｌｌｙ  ｓｔｅｅｒａｂｌｅ  ｄｉｒｅｃｔｉｏｎａｌ  ａｎｔｅｎｎａｓ）の使用を可能にし、この技術は、経路損失を克服して受信機における高い信号対雑音比（ＳＮＲ）を確実にするのに十分な配列利得（ａｒｒａｙ  ｇａｉｎ）を提供することができる。ｍｍＷ帯を用いた高密度展開環境における指向性分散ネットワーク（ＤＮ）は、局（ＳＴＡ）間の信頼できる通信を実現して見通し内チャネル制約を克服するための効率的な方法となり得る。
【０００８】
新規局（ＳＴＡ又はノード）は、始動すると、参加すべきネットワーク内の発見すべき近隣ＳＴＡを探す（探索する）。ＳＴＡからネットワークへの初期アクセスプロセスは、近隣ＳＴＡをスキャンして局所的近傍における全てのアクティブなＳＴＡを発見することを含む。このプロセスは、参加すべき特定のネットワーク又はネットワークリストを新規ＳＴＡが探索することを通じて、或いは新規ＳＴＡを受け入れる予定のいずれかの既存のネットワークに参加するためのブロードキャスト要求を新規ＳＴＡが送信することによって実行することができる。
【０００９】
分散ネットワーク（ＤＮ）に接続するＳＴＡは、近隣ＳＴＡを発見して、ゲートウェイ／ポータルＤＮ  ＳＴＡに到達するための最良の方法、及びこれらの各近隣ＳＴＡの能力を判断する必要がある。新規ＳＴＡは、候補となる近隣ＳＴＡの全てのチャネルを特定の期間にわたって検査する。この特定の時間後にアクティブなＳＴＡが検出されなければ、新規ＳＴＡは次のチャネルの検査に移行する。ＳＴＡが検出されると、新規ＳＴＡは、自機の物理（ＰＨＹ）層（例えば、ＯＳＩモデル）を調節領域（ＩＥＥＥ、ＦＣＣ、ＥＴＳＩ、ＭＫＫ等）における動作のために構成するのに十分な情報を収集する。ｍｍ波通信では、指向性送信に起因してこのタスクがさらに困難である。このプロセスにおける課題は、（ａ）周辺ＳＴＡ  ＩＤの知識、（ｂ）ビームフォーミングにとって最良な（単複の）送信パターンの知識、（ｃ）衝突及びデフネスに起因するチャネルアクセス問題、並びに（ｄ）閉塞及び反射に起因するチャネル障害、として要約することができる。ｍｍ波Ｄ２Ｄ及びＤＮ技術の普及を可能にするには、上記の一部又は全部を克服する近隣発見方法を設計することが何よりも重要である。
【発明の概要】
【発明が解決しようとする課題】
【００１０】
ブロードキャストモードで動作するネットワークのＤＮアドレスを発見するためのほとんどの既存の技術は、指向性無線通信を伴うネットワークを目的としていない。また、指向性無線ネットワーク通信を利用するこれらの技術は、ビーコン信号の生成に関するオーバヘッド要求が非常に高いことが多い。さらに、これらの技術は、発見の実行に伴うオーバヘッド及びレイテンシを低減するための十分な機構に欠ける。
【００１１】
従って、ｍｍ波指向性無線ネットワーク内で発見支援を行うための強化された機構に対するニーズが存在する。本開示は、このニーズを満たすとともに、これまでの技術を凌駕するさらなる利点をもたらす。
【課題を解決するための手段】
【００１２】
本開示では、通信帯（例えば、ｍｍＷ）を介した指向性データ送信を利用して、ｍｍＷメッシュネットワーク発見のスキャンを支援する発見動作を発見帯（例えば、ｓｕｂ−６ＧＨｚ帯）を介して実行する装置、システム及び方法を含む様々な実施形態について説明する。本技術の非限定的な例として、既存のネットワークノード（ＡＰ又はＢＳＳ  ＳＴＡ）が、発見支援の利用可能性を示すビーコンを発見帯を介して送信する。新規ノードが、指向性通信能力を有する発見支援要素を含む支援要求を発見帯を介して送信し、既存のノードが、同様の発見支援要素でこれに応答する。次に、指向性通信帯を介して既存のノードと新規ノードとの間のビームフォーミングプロセスが開始し、この後に通信が確立される。時分割二重（ＴＤＤ）サービス期間（ＳＰ）、及び複数の通信チャネルをサポートする実施形態について説明する。
【００１３】
本明細書の以下の部分では、本明細書で説明する技術のさらなる態様が明らかになり、この詳細な説明は、本技術の好ましい実施形態を制限することなく完全に開示するためのものである。
【００１４】
本明細書で説明する技術は、例示のみを目的とする以下の図面を参照することによって十分に理解されるであろう。
【図面の簡単な説明】
【００１５】
【図１】ＩＥＥＥ  ８０２．１１無線ローカルエリアネットワーク（ＷＬＡＮ）において行われるアクティブスキャンのタイミング図である。
【図２】ＤＮ局と非ＤＮ局との組み合わせを示す分散ネットワーク（ＤＮ）のＳＴＡ図である。
【図３】ＩＥＥＥ  ８０２．１１  ＷＬＡＮのＤＮ識別要素を示すデータフィールド図である。
【図４】ＩＥＥＥ  ８０２．１１  ＷＬＡＮのＤＮ構成要素を示すデータフィールド図である。
【図５】ＩＥＥＥ  ８０２．１１ａｄプロトコルでのアンテナセクタスイープ（ＳＳＷ）の概略図である。
【図６】ＩＥＥＥ  ８０２．１１ａｄプロトコルでのセクタレベルスイープ（ＳＬＳ）のシグナリングを示すシグナリング図である。
【図７】ＩＥＥＥ  ８０２．１１ａｄのセクタスイープ（ＳＳＷ）フレーム要素を示すデータフィールド図である。
【図８】ＩＥＥＥ  ８０２．１１ａｄのＳＳＷフレーム要素内のＳＳＷフィールドを示すデータフィールド図である。
【図９Ａ】ＩＥＥＥ  ８０２．１１ａｄに利用される、ＩＳＳの一部として送信される時に示されるＳＳＷフィードバックフィールドを示すデータフィールド図である。
【図９Ｂ】ＩＥＥＥ  ８０２．１１ａｄに利用される、ＩＳＳの一部として送信されない時に示されるＳＳＷフィードバックフィールドを示すデータフィールド図である。
【図１０】本開示の実施形態に従って利用される局ハードウェアのブロック図である。
【図１１】本開示の実施形態に従って利用される図１０の局ハードウェアのｍｍＷビームパターン図である。
【図１２】本開示の実施形態による、発見帯通信アンテナ（すなわち、ｓｕｂ−６ＧＨｚ）のビームパターン図である。
【図１３】本開示の実施形態による、支援要求及び支援応答フレームを利用する支援発見の通信期間図である。
【図１４】本開示の実施形態による、高速セッション転送（ＦＳＴ）要求及びＦＳＴ応答フレームを利用する支援発見の通信期間図である。
【図１５】本開示の実施形態による、オンチャネルトンネリング（ＯＣＴ）を通じた要求フレーム及び応答フレームを利用する支援発見の通信期間図である。
【図１６】本開示の実施形態による、プローブ要求及びプローブ応答フレームを利用する支援発見の通信期間図である。
【図１７】本開示の実施形態による、アソシエーション又は再アソシエーション要求フレーム又は応答フレームの通信期間図である。
【図１８Ａ】本開示の実施形態による、ＢＳＳノードが支援をオファーするフロー図である。
【図１８Ｂ】本開示の実施形態による、ＢＳＳノードが支援をオファーするフロー図である。
【図１９Ａ】本開示の実施形態による、新規ＳＴＡが支援を要求して受け取るフロー図である。
【図１９Ｂ】本開示の実施形態による、新規ＳＴＡが支援を要求して受け取るフロー図である。
【図２０】本開示の実施形態に従って実行されるビームフォーミングマルチバンド同期のブロック及びシーケンス図である。
【図２１】本開示の実施形態による、発見支援要素のデータフィールド図である。
【図２２】本開示の実施形態による、図２１の発見支援制御フィールド内のサブフィールドのデータフィールド図である。
【図２３】本開示の実施形態による、拡張スケジュール要素フォーマットのデータフィールド図である。
【図２４】本開示の実施形態による、図２３の割り当てフィールド内のサブフィールドのデータフィールド図である。
【図２５】本開示の実施形態による、図２４の割り当て制御サブフィールド内のサブフィールドのデータフィールド図である。
【図２６】本開示の実施形態による、指向性通信（例えば、指向性マルチギガバイト（ＤＭＧ））能力情報要素のデータフィールド図である。
【図２７】本開示の実施形態による、指向性通信（ＤＭＧ）ＳＴＡ能力情報要素及びフィールド／サブフィールドフォーマットのデータフィールド図である。
【図２８】本開示の実施形態による、マルチバンド要素のデータフィールド図である。
【図２９】本開示の実施形態による、マルチバンド制御フィールドのデータフィールド図である。
【図３０】本開示の実施形態による、ビーコンスイープを通じた発見支援の通信期間図である。
【図３１】本開示の実施形態による、発見支援要素のデータフィールド図である。
【図３２】本開示の実施形態による、図３１の発見支援制御フィールド内のサブフィールドのデータフィールド図である。
【図３３】本開示の実施形態による、ＦＳＴ応答フレームのデータフィールド図である。
【図３４】本開示の実施形態による、図３３の発見支援制御フィールド内のサブフィールドのデータフィールド図である。
【図３５】本開示の実施形態による、ＴＤＤ  ＳＰビームフォーミングのトリガを通じた発見支援の通信期間図である。
【図３６】本開示の実施形態による、ＦＳＴ設定要求フレームのデータフィールド図である。
【図３７】本開示の実施形態による、図３６の発見支援制御フィールド内のサブフィールドのデータフィールド図である。
【図３８】本開示の実施形態による、ＦＳＴ設定応答フレームのデータフィールド図である。
【図３９】本開示の実施形態による、図３６の発見支援制御フィールド内のサブフィールドのデータフィールド図である。
【図４０】本開示の実施形態による、ビームフォームスケジューリングを通じた発見支援の通信期間図である。
【図４１】本開示の実施形態による、ＤＡ  ＦＳＴ設定要求フレームのデータフィールド図である。
【図４２】本開示の実施形態による、図４１の発見支援制御内のサブフィールドのデータフィールド図である。
【図４３】本開示の実施形態による、ＦＳＴ設定応答フレームのデータフィールド図である。
【図４４】本開示の実施形態による、図４３の発見支援制御フィールド内のサブフィールドのデータフィールド図である。
【図４５】本開示の実施形態による、拡張スケジュール要素のデータフィールド図である。
【図４６】本開示の実施形態による、図４５の割り当てフィールド内のサブフィールドのデータフィールド図である。
【図４７】本開示の実施形態による、図４６の割り当て制御フィールド内のサブフィールドのデータフィールド図である。
【図４８】本開示の実施形態による、ＦＳＴ設定要求フレーム内の発見支援のデータフィールド図である。
【図４９】本開示の実施形態による、図４８の発見支援制御フィールド内のサブフィールドのデータフィールド図である。
【図５０】本開示の実施形態による、ＦＳＴ設定応答フレーム内のＤＡのデータフィールド図である。
【図５１】本開示の実施形態による、図５０の発見支援制御フィールド内のサブフィールドのデータフィールド図である。
【図５２】本開示の実施形態による、拡張スケジュール要素のデータフィールド図である。
【図５３】本開示の実施形態による、図５２の割り当てフィールド内のサブフィールドのデータフィールド図である。
【図５４】本開示の実施形態による、図５３の割り当て制御フィールド内のサブフィールドのデータフィールド図である。
【図５５】本開示の実施形態による、多重通信（ｍｍＷ）チャネルを介したビームフォーミングを通じた発見支援の通信期間図である。
【発明を実施するための形態】
【００１６】
定義
本開示では、一般に後述する意味を有する複数の用語を利用する。
【００１７】
Ａ−ＢＦＴ：アソシエーション−ビームフォーミングトレーニング期間：ネットワークに参加する新規局（ＳＴＡ）のアソシエーション及びビームフォーム（ＢＦ）トレーニングに使用される、ビーコンで通知される期間。
【００１８】
ＡＰ：アクセスポイント：１つの局（ＳＴＡ）を含み、関連するＳＴＡの無線媒体（ＷＭ）を通じて配信サービスへのアクセスを提供するエンティティ。
【００１９】
ビームフォーミング（ＢＦ）：対象の受信機における受信信号電力又は信号対雑音比（ＳＮＲ）を改善する情報を決定するための、全方向又は準全方向アンテナではなく指向性アンテナシステム又はアレイからの指向性送信である。
【００２０】
ＢＳＳ：ベーシックサービスセット：ネットワーク内のＡＰとの同期に成功した一連の局（ＳＴＡ）。
【００２１】
ＢＩ：ビーコン間隔は、ビーコン送信時間の合間の時間を表す周期的スーパーフレーム期間（ｃｙｃｌｉｃ  ｓｕｐｅｒｆｒａｍｅ  ｐｅｒｉｏｄ）である。
【００２２】
ＢＲＰ：ＢＦ精緻化プロトコル：受信機トレーニングを可能にし、最良の指向性通信を達成するために送信機側及び受信機側を繰り返しトレーニングするＢＦプロトコル。
【００２３】
ＢＳＳ：ベーシックサービスセットは、実際にはＳＴＡ同士の通信を可能にする無線媒体に接続するＳＴＡの組であるＢＳＳの周囲に構築されるＩＥＥＥ８０２．１１  ＷＬＡＮアーキテクチャのコンポーネントである。
【００２４】
ＢＴＩ：ビーコン送信間隔は、連続するビーコン送信間の間隔である。
【００２５】
ＣＢＡＰ：競合ベースのアクセス期間：競合ベースの拡張分散チャネルアクセス（ｅｎｈａｎｃｅｄ  ｄｉｓｔｒｉｂｕｔｅｄ  ｃｈａｎｎｅｌ  ａｃｃｅｓｓ：ＥＤＣＡ）を使用する指向性マルチギガビット（ＤＭＧ）ＢＳＳのデータ転送間隔（ＤＴＩ）内の期間。
【００２６】
ＤＭＧ：指向性マルチギガビット（ＤＭＧ）。
【００２７】
ＤＴＩ：データ転送間隔：完全なＢＦトレーニングに続いて実際のデータ転送を行うことができる期間。ＤＴＩは、１又は２以上のサービス期間（ＳＰ）及び競合ベースのアクセス期間（ＣＢＡＰ）を含むことができる。
【００２８】
ＦＳＴ：高速セッション転送は、異なるストリーム又はセッションが同じ帯域内又は異なる帯域内の１つのチャネルから別のチャネルへスムーズに移行することを可能にするプトロコルである。
【００２９】
ＬＯＳ：見通し線：送信機及び受信機が表面上互いの視界内に存在する、反射信号の通信の結果ではない通信。
【００３０】
ＭＡＣアドレス：媒体アクセス制御（ＭＡＣ）アドレス。
【００３１】
ＭＢＳＳ：ＤＮベーシックサービスセット：分散ネットワーク（ＤＮ）局（ＤＮ  ＳＴＡ）の自己完結型ネットワーク（ｓｅｌｆ−ｃｏｎｔａｉｎｅｄ  ｎｅｔｗｏｒｋ）を形成するベーシックサービスセット（ＢＳＳ）であり、配信システム（ＤＳ）として使用することができる。
【００３２】
ＭＣＳ：変調符号化スキーム：物理（ＰＨＹ）層（例えば、ＯＳＩモデル）データレートに換算できる指数。
【００３３】
ＭＬＭＥ：ＭＡＣ層管理エンティティ。
【００３４】
ＭＭＰＤＵ：ＭＡＣ管理プロトコルデータユニットは、ＯＳＩモデルのデータリンク層を越えずに上位層情報を伝えない管理フレーム、又はＭＳＤＵを含む。
【００３５】
ＭＳＤＵ：ＭＡＣサービスデータユニット、論理リンク制御（ＬＬＣ）層のデータが（ＭＳＤＵ）の形態で含まれる。
【００３６】
ＭＳＴＡ：メッシュ局（ＭＳＴＡ）：メッシュ施設を実装する局（ＳＴＡ）であり、メッシュＢＢＳ内で動作する際に、他のＭＳＴＡに配信サービスを提供することができる。
【００３７】
ＤＮ  ＳＴＡ：分散ネットワーク（ＤＮ）局（ＤＮ  ＳＴＡ）：ＤＮ施設を実装する局（ＳＴＡ）。ＤＮ  ＢＳＳ内で動作するＤＮ  ＳＴＡは、他のＤＮ  ＳＴＡに配信サービスを提供することができる。
【００３８】
ＯＣＴ：オンチャネルトンネル。
【００３９】
全方向性：無指向性アンテナを利用する送信モード。
【００４０】
準全方向性：最も広いビーム幅を達成できる指向性マルチギガビット（ＤＭＧ）アンテナを利用する通信モード。
【００４１】
受信セクタスイープ（ＲＸＳＳ）：連続する受信間にスイープが行われる、異なるセクタを介した（にわたる）セクタスイープ（ＳＳＷ）フレームの受信。
【００４２】
ＲＳＮＡ：ロバストセキュリティネットワークアソシエーションは、ＩＥＥＥ８０２．１１におけるネットワーク通信認証アルゴリズムである。
【００４３】
ＳＬＳ：セクタレベルスイープ段階：ＳＳＷフィードバック及びＳＳＷ  ＡＣＫなどを使用してイニシエータをトレーニングするためのイニシエータセクタスイープ（ＩＳＳ）、レスポンダリンクをトレーニングするためのレスポンダセクタスイープ（ＲＳＳ）といった４つほどのコンポーネントを含むことができるＢＦトレーニング段階。
【００４４】
ＳＮＲ：ｄＢ単位の受信信号対雑音比。
【００４５】
ＳＰ：サービス期間：アクセスポイント（ＡＰ）によってスケジュールされるＳＰであり、スケジュールされたＳＰは一定の時間的間隔で開始する。
【００４６】
スペクトル効率：特定の通信システムにおいて所与の帯域幅を通じて送信できる情報率であり、通常はビット／秒又はＨｚで表される。
【００４７】
ＳＳＩＤ：サービスセット識別子；ＷＬＡＮネットワークに割り当てられた名称。
【００４８】
ＳＴＡ：局：無線媒体（ＷＭ）への媒体アクセス制御（ＭＡＣ）及び物理層（ＰＨＹ）インターフェイスの個別にアドレス指定可能なインスタンスである論理エンティティ。
【００４９】
スイープ：送信機又は受信機のアンテナ構成が送信間で変更される、短期ビームフォーミングインターフレーム（ＳＢＩＦＳ）間隔によって分離された一連の送信。
【００５０】
ＳＳＷ：セクタスイープは、異なるセクタ（方向）で送信を行って、受信信号及び強度などに関する情報を収集する動作である。
【００５１】
ＴＤＤ：時分割二重は、異なるアップリンク及びダウンリンクデータ送信フローに合わせて調整するために同じ周波数帯で異なるタイムスロットを割り当てることによってアップリンクがダウンリンクから分離される通信リンクの二重化を可能にする。
【００５２】
ＴＤＤ  ＳＰ：時分割二重サービス期間は、ＴＤＤチャネルアクセスを含むサービス期間であり、ここではＴＤＤ  ＳＰが、一連のＴＤＤスロットをさらに含む一連のＴＤＤ間隔を含む。
【００５３】
ＴＳＦ：タイミング同期関数（ＴＳＦ）は、無線ローカルエリアネットワーク（ＷＬＡＮ）がタイミングチック（）を使用することなどに基づいて局間のタイミング同期をもたらすための、ＩＥＥＥ８０２．１１において指定される同期関数である。
【００５４】
送信セクタスイープ（ＴＸＳＳ）：連続する送信間にスイープが行われる、異なるセクタを介した複数のセクタスイープ（ＳＳＷ）又は指向性マルチギガビット（ＤＭＧ）ビーコンフレームの送信。
【００５５】
１．既存の指向性無線ネットワーク技術
１．１．ＷＬＡＮシステム
８０２．１１などのＷＬＡＮシステムでは、パッシブスキャン及びアクティブスキャンという２つのスキャンモードが規定される。以下は、パッシブスキャンの特性である。（ａ）ネットワークに参加しようと試みる新規局（ＳＴＡ）は、各チャネルを調べ、最大でＭａｘＣｈａｎｎｅｌＴｉｍｅにわたってビーコンフレームを待つ。（ｂ）ビーコンが受け取られなかった場合、新規ＳＴＡは別のチャネルに移行し、従ってスキャンモードで信号を送信しないのでバッテリ電力を節約する。ＳＴＡは、ビーコンを見逃さないように各チャネルにおいて十分な時間にわたって待つべきである。ビーコンが失われた場合、ＳＴＡはさらなるビーコン送信間隔（ＢＴＩ）にわたって待つべきである。
【００５６】
以下は、アクティブスキャンの特性である。（ａ）ローカルネットワークに参加したいと望む新規ＳＴＡは、以下に従って各チャネル上でプローブ要求フレームを送信する。（ａ）（１）新規ＳＴＡは、あるチャネルに移行して、着信フレーム、又はプローブ遅延タイマの満了を待つ。（ａ）（２）タイマの満了後にフレームが検出されなかった場合、このチャネルは未使用とみなされる。（ａ）（３）チャネルが未使用である場合、ＳＴＡは新たなチャネルに移行する。（ａ）（４）チャネルが使用中である場合、ＳＴＡは、通常のＤＣＦを使用して媒体にアクセスしてプローブ要求フレームを送信する。（ａ）（５）チャネルがそれまでに使用中でなかった場合、ＳＴＡは、プローブ要求に対する応答を受け取るために所望の期間（例えば、Ｍｉｎｉｍｕｍ  Ｃｈａｎｎｅｌ  Ｔｉｍｅ）にわたって待つ。チャネルが使用中であってプローブ応答が受け取られた場合、ＳＴＡは、さらなる時間（例えば、Ｍａｘｉｍｕｍ  Ｃｈａｎｎｅｌ  Ｔｉｍｅ）にわたって待つ。
【００５７】
（ｂ）プローブ要求は、一意のサービスセット識別子（ＳＳＩＤ）、ＳＳＩＤのリスト又はブロードキャストＳＳＩＤを使用することができる。（ｃ）周波数帯によっては、アクティブスキャンが禁止されていることもある。（ｄ）アクティブスキャンは、特に多くの新規ＳＴＡが同時に到着してネットワークにアクセスしようと試みる場合に干渉及び衝突の原因となり得る。（ｅ）アクティブスキャンは、パッシブスキャンの使用に比べてＳＴＡがビーコンを待つ必要がないので、ＳＴＡがネットワークにアクセスするための高速な（遅延が少ない）方法である。（ｆ）インフラストラクチャベーシックサービスセット（ＢＳＳ）及びＩＢＳＳでは、少なくとも１つのＳＴＡがプローブを受け取って応答しようと目を光らせている。（ｇ）分散ネットワーク（ＤＮ）ベーシックサービスセット（ＭＢＳＳ）内のＳＴＡは、いずれかの時点で応答に目を光らせていないこともある。（ｈ）無線測定キャンペーンがアクティブの時には、ＳＴＡがプローブ要求に応答しないこともある。（ｉ）プローブ応答の衝突が生じることもある。ＳＴＡは、最後のビーコンを送信したＳＴＡが最初のプローブ応答を送信できるようにすることによってプローブ応答の送信を協調させることもできる。他のＳＴＡは、衝突を回避するためにバックオフ時間及び通常の分散制御機構（ＤＣＦ）チャネルアクセスに従ってこれらを使用することができる。
【００５８】
図１に、プローブを送信するスキャン局と、プローブを受け取ってこれに応答する２つの応答局とを示す、ＩＥＥＥ  ８０２．１１  ＷＬＡＮにおけるアクティブスキャンの使用を示す。この図には、最小プローブ応答タイミング及び最大プローブ応答タイミングも示す。図示の値Ｇ１は、確認応答の送信前のフレーム間間隔であるＳＩＦＳに設定されるのに対し、値Ｇ３は、バックオフ期間の完了後であってＲＴＳパッケージの送信前に送信側が待機する時間遅延を表すＤＣＦフレーム間間隔であるＤＩＦＳである。
【００５９】
１．２．ＩＥＥＥ  ８０２．１１ｓ分散ネットワーク（ＤＮ）ＷＬＡＮ
ＩＥＥＥ  ８０２．１１ｓ（以下、８０２．１１ｓ）は、８０２．１１標準に無線メッシュネットワーキング能力を加えた標準である。８０２．１１ｓでは、新たなタイプの無線局と、メッシュネットワーク発見、ピアツーピア接続の確立及びメッシュネットワークを通じたデータのルーティングを可能にする新たなシグナリングとが規定される。
【００６０】
図２には、非メッシュＳＴＡの混合がメッシュＳＴＡ／ＡＰに接続し（実線）、メッシュＳＴＡがメッシュポータルを含む他のメッシュＳＴＡに接続する（点線）メッシュネットワークの一例を示す。メッシュネットワーク内のノードは、８０２．１１標準で規定されている同じスキャン技術を近隣発見に使用する。メッシュネットワークの識別は、ビーコン及びプローブ応答フレームに含まれるメッシュＩＤ要素によって行われる。１つのメッシュネットワークでは、全てのメッシュＳＴＡが同じメッシュプロファイルを使用する。メッシュプロファイルは、メッシュプロファイル内の全てのパラメータが一致する場合に同じものとみなされる。メッシュプロファイルは、その近隣のメッシュＳＴＡがスキャンを通じてメッシュプロファイルを取得できるようにビーコン及びプローブ応答フレームに含まれる。
【００６１】
メッシュＳＴＡがスキャンプロセスを通じて近隣メッシュＳＴＡを発見すると、発見されたメッシュＳＴＡはピアメッシュＳＴＡ候補とみなされる。このメッシュＳＴＡは、発見されたメッシュＳＴＡがメンバであるメッシュネットワークのメンバになって近隣メッシュＳＴＡとのメッシュピアリングを確立することができる。発見された近隣メッシュＳＴＡは、受信ビーコンと同じメッシュプロファイルを使用している場合、或いはプローブ応答フレームがその近隣メッシュＳＴＡを示す場合、ピアメッシュＳＴＡ候補とみなすことができる。
【００６２】
メッシュＳＴＡは、（ａ）近隣ＭＡＣアドレス、（ｂ）動作チャネル番号、及び（ｃ）最近観察されたリンク状況及び品質情報を含む発見された近隣情報をメッシュ近隣テーブル内に維持しようと試みる。近隣が検出されなかった場合、メッシュＳＴＡは、その最優先プロファイルのメッシュＩＤを使用してアクティブな状態を保つ。近隣メッシュＳＴＡを発見するための上述したシグナリングは全てブロードキャストモードで実行される。８０２．１１ｓは、指向性無線通信を伴うネットワークを対象としたものではないと理解されたい。
【００６３】
図３に、メッシュネットワークの識別を広告するために使用されるメッシュ識別要素（メッシュＩＤ要素）を示す。メッシュＩＤは、メッシュネットワークに参加する用意がある新規ＳＴＡによってプローブ要求で送信され、また既存のメッシュネットワークＳＴＡによってビーコン及び信号で送信される。長さ０のメッシュＩＤフィールドは、プローブ要求フレーム内で使用されるワイルドカードメッシュＩＤを示す。ワイルドカードメッシュＩＤは、非メッシュＳＴＡがメッシュネットワークに参加するのを防ぐ特定のＩＤである。なお、メッシュ局は、非メッシュ局よりも多くの特徴を有するＳＴＡであり、例えばメッシュネットワークは、他のいくつかのモジュールに加えてメッシュ機能を提供するモジュールとして動作するＳＴＡを有するようなものであると認識されたい。ＳＴＡがこのメッシュモジュールを有していない場合には、メッシュネットワークへの接続を許可すべきではない。
【００６４】
図４に、メッシュＳＴＡによって送信されるビーコンフレーム及びプローブ応答フレームに含まれる、メッシュサービスの広告に使用されるメッシュ構成要素を示す。メッシュ構成要素の主要内容は、（ａ）経路選択プロトコル識別子、（ｂ）経路選択メトリック識別子、（ｃ）輻輳制御モード識別子、（ｄ）同期方法識別子、及び（ｅ）認証プロトコル識別子である。メッシュ構成要素の内容は、メッシュＩＤと共にメッシュプロファイルを形成する。
【００６５】
８０２．１１ａ標準は、メッシュ発見、メッシュピアリング管理、メッシュセキュリティ、メッシュビーコン送信及び同期、メッシュ調整機能、メッシュ電力管理、メッシュチャネルスイッチング、３アドレス、４アドレス、及び拡張アドレスフレームフォーマット、メッシュ経路選択及び転送、外部ネットワークとの相互作用、メッシュ間輻輳制御、並びにメッシュＢＳＳにおける緊急サービスサポートを含む多くの手順及びメッシュ機能を定める。
【００６６】
１．３．ＷＬＡＮにおけるミリメートル波
一般に、ミリメートル波帯におけるＷＬＡＮでは、高い経路損失を考慮して通信にとって十分なＳＮＲを提供するために、送信、受信、又はこれらの両方に指向性アンテナを使用する必要がある。送信又は受信において指向性アンテナを使用すると、スキャンプロセスも指向性になる。ＩＥＥＥ  ８０２．１１ａｄ及び新たな標準８０２．１１ａｙでは、ミリメートル波帯を介した指向性送受信のためのスキャン及びビームフォーミング手順が規定されている。
【００６７】
１．４．ＩＥＥＥ  ８０２．１１ａｄのスキャン及びＢＦトレーニング
ｍｍ波ＷＬＡＮの最先端システムの例は、８０２．１１ａｄ標準である。
【００６８】
１．４．１．スキャン
新規ＳＴＡは、特定のＳＳＩＤ、ＳＳＩＤリスト、又は全ての発見されたＳＳＩＤをスキャンするためにパッシブ又はアクティブスキャンモードで動作する。パッシブなスキャンを行うには、ＳＴＡが、ＳＳＩＤを含むＤＭＧビーコンフレームをスキャンする。アクティブなスキャンを行うには、ＤＭＧ  ＳＴＡが、所望のＳＳＩＤ又は１又は２以上のＳＳＩＤリスト要素を含むプローブ要求フレームを送信する。ＤＭＧ  ＳＴＡは、プローブ要求フレームの送信前に、ＤＭＧビーコンフレームの送信又はビームフォーミングトレーニングの実行を行うことが必要な場合もある。
【００６９】
１．４．２．ＢＦトレーニング
ＢＦトレーニングは、セクタスイープを使用するＢＦトレーニングフレーム送信の双方向シーケンスであり、各ＳＴＡが送信及び受信の両方に適したアンテナシステム設定を決定するために必要なシグナリングを行う。
【００７０】
８０２．１１ａｄのＢＦトレーニングプロセスは、３段階で実行することができる。（１）セクタレベルスイープ段階を実行することにより、リンク取得のために指向性送信及び低利得（準全方向性）受信を実行する。（２）複合送受信（ｃｏｍｂｉｎｅｄ  ｔｒａｎｓｍｉｔ  ａｎｄ  ｒｅｃｅｉｖｅ）のために、受信利得及び最終調整を加える精緻化段階を実行する。（３）その後、データ送信中にトラッキングを実行して、チャネル変更に合わせた調整を行う。
【００７１】
１．４．３．８０２．１１ａｄのＳＬＳ  ＢＦトレーニング段階
このＳＬＳ  ＢＦトレーニング段階は、８０２．１１ａｄ標準のセクタレベルスイープ（ＳＬＳ）必須段階に焦点を置く。ＳＬＳ中には、一対のＳＴＡが、異なるアンテナセクタを介して一連のセクタスイープ（ＳＳＷ）フレーム（又は、ＰＣＰ／ＡＰにおける送信セクタトレーニングの場合にはビーコン）を交換して、最も高い信号品質を提供するセクタを発見する。最初に送信を行う局はイニシエータと呼ばれ、２番目に行う局はレスポンダと呼ばれる。
【００７２】
送信セクタスイープ（ＴＸＳＳ）中には、異なるセクタ上でＳＳＷフレームが送信され、対を成すＳＴＡ（レスポンダ）が準全方向性パターンを利用してこれを受け取る。レスポンダは、最良のリンク品質（例えば、ＳＮＲ）を提供するイニシエータのアンテナアレイセクタを決定する。
【００７３】
図５に、８０２．１１ａｄでのセクタスイープ（ＳＳＷ）の概念を示す。この図には、ＳＴＡ１がＳＬＳのイニシエータであってＳＴＡ２がレスポンダである例を示す。ＳＴＡ１は、送信アンテナパターン微細セクタ（ｔｒａｎｓｍｉｔ  ａｎｔｅｎｎａ  ｐａｔｔｅｒｎ  ｆｉｎｅ  ｓｅｃｔｏｒｓ）を全てスイープし、ＳＴＡ２は、準全方向性パターンで受け取る。ＳＴＡ２は、ＳＴＡ１から受け取った最良のセクタをＳＴＡ２にフィードバックする。
【００７４】
図６に、８０２．１１ａｄ仕様で実装されるセクタレベルスイープ（ＳＬＳ）プロトコルのシグナリングを示す。送信セクタスイープの各フレームは、セクタカウントダウン指示（ＣＤＯＷＮ）、セクタＩＤ及びアンテナＩＤに関する情報を含む。最良のセクタＩＤ及びアンテナＩＤ情報は、セクタスイープフィードバック及びセクタスイープＡＣＫフレームと共にフィードバックされる。
【００７５】
図７に、以下で概説するフィールドを含む、８０２．１１ａｄ標準で利用されるセクタスイープフレーム（ＳＳＷフレーム）のフィールドを示す。Ｄｕｒａｔｉｏｎ（継続時間）フィールドは、ＳＳＷフレーム送信の最後までの時間に設定される。ＲＡフィールドは、セクタスイープの所定の受信者であるＳＴＡのＭＡＣアドレスを含む。ＴＡフィールドは、セクタスイープフレームの送信側ＳＴＡのＭＡＣアドレスを含む。
【００７６】
図８に、ＳＳＷフィールド内のデータ要素を示す。ＳＳＷフィールドで搬送される主要情報は以下の通りである。Ｄｉｒｅｃｔｉｏｎ（方向）フィールドは、０に設定されると、ビームフォーミングイニシエータによってフレームが送信されることを示し、１に設定されると、ビームフォーミングレスポンダによってフレームが送信されることを示す。ＣＤＯＷＮフィールドは、ＴＸＳＳの最後までの残りのＤＭＧビーコンフレーム送信の数を示すダウンカウンタである。セクタＩＤフィールドは、このＳＳＷフィールドを含むフレームを送信するセクタ番号を示すように設定される。ＤＭＧ  Ａｎｔｅｎｎａ（アンテナ）ＩＤフィールドは、送信機がこの送信のために現在どのＤＭＧアンテナを使用しているかを示す。ＲＸＳＳ  Ｌｅｎｇｔｈ（長さ）フィールドは、ＣＢＡＰで送信された時にのみ有効であり、そうでない場合には予備とされる。このＲＸＳＳ  Ｌｅｎｇｔｈフィールドは、送信側ＳＴＡによって要求された受信セクタスイープの長さを指定し、ＳＳＷフレームの単位で定義される。ＳＳＷ  Ｆｅｅｄｂａｃｋ（ＳＳＷフィードバック）フィールドについては以下で定義する。
【００７７】
図９Ａ及び図９Ｂに、ＳＳＷフィードバックフィールドを示す。図９Ａに示すフォーマットは、内部下位層サービス（ＩＳＳ）の一部として送信される時に利用され、図９Ｂのフォーマットは、ＩＳＳの一部として送信されない時に使用される。Ｔｏｔａｌ  Ｓｅｃｔｏｒｓ  ｉｎ  ｔｈｅ  ＩＳＳ（ＩＳＳ内総セクタ）フィールドは、イニシエータがＩＳＳにおいて使用する総セクタ数を示す。Ｎｕｍｂｅｒ  ｏｆ  ＲＸ  ＤＭＧ  Ａｎｔｅｎｎａｓ（ＲＸ  ＤＭＧアンテナ数）サブフィールドは、イニシエータが次の受信セクタスイープ（ＲＳＳ）中に使用する受信ＤＭＧアンテナの数を示す。Ｓｅｃｔｏｒ  Ｓｅｌｅｃｔ（セクタ選択）フィールドは、直前のセクタスイープにおいて最良の品質で受け取られたフレーム内のＳＳＷフィールドのｖａｌｕｅ  ｏｆ  Ｓｅｃｔｏｒ  ＩＤ（セクタＩＤ値）サブフィールドを含む。ＤＭＧ  Ａｎｔｅｎｎａ  Ｓｅｌｅｃｔ（ＤＭＧアンテナ選択）フィールドは、直前のセクタスイープにおいて最良の品質で受け取られたフレーム内のＳＳＷフィールドのＤＭＧ  Ａｎｔｅｎｎａ  ＩＤ（ＤＭＧアンテナＩＤ）サブフィールドの値を示す。ＳＮＲレポートフィールドは、直前のセクタスイープ中に最良の品質で受け取られた、セクタ選択フィールドに示されるフレームのＳＮＲの値に設定される。Ｐｏｌｌ  Ｒｅｑｕｉｒｅｄ（ポール要求）フィールドは、非ＰＣＰ／非ＡＰ  ＳＴＡによって１に設定されると、ＰＣＰ／ＡＰに非ＰＣＰ／非ＡＰとの通信を開始するように要求することを示す。Ｐｏｌｌ  Ｒｅｑｕｉｒｅｄフィールドは、０に設定されると、ＰＣＰ／ＡＰが通信を開始するかどうかに関する設定を非ＰＣＰ／非ＡＰが有していないことを示す。
【００７８】
２．課題の記述
ネットワーク内のＳＴＡが絶えず発見信号（ビーコン又はビームフォーミングフレーム）を送信すると、たとえ不要な時であってもビームフォーミング信号を送信するために持続的に送信に割り込む必要があるので、この要件は効率的なスペクトル使用の妨げになると同時にシステムのレイテンシ制約に悪影響を与える。
【００７９】
この既存の発見実行モードは新規局にも問題を及ぼす。このネットワークに参加しようと試みる新規ＳＴＡは、チャネルアクセス、チャネル内のスケジューリング割り当て及び接続先のネットワークに関する情報を有していない。新規ＳＴＡは、いつビームフォーミングフレームが送信されるか（送信時間）が分からず、或いはこれらのフレームの送信時にこれらを受け取る準備ができていないので、ビームフォーミングフレームを逃してしまう恐れがある。新規ＳＴＡにビームフォーミングフレームを求めて絶えず（パッシブ又はアクティブ）スキャンを行うように要求すると、過度のオーバヘッドが生じて電力が無駄になる。いつどこでビームフォーミングフレームが送信され又は送信される予定であるかをＳＴＡが分かっていれば、全体的な通信効率を高めることができる。
【００８０】
３．スケジュールされたｍｍ波発見支援の利点
（指向性ｍｍＷチャネル以外の）他の帯域を通じて新規ノード発見を支援するマルチバンドソリューションを開示する。新規ノードは、目的とする通信帯（例えば、ｍｍＷ）の発見支援（ＤＡ）を、他の帯域を通じて要求する。
【００８１】
新規ＳＴＡは、目的とする指向性通信帯のチャネルアクセス及びチャネル割り当てに関する情報を、ノードが発見された他の帯域を通じて受け取る。新規ＳＴＡは、この情報を使用して、目的とする通信帯の発見されたノードに同期し、目的とする通信帯のチャネルにアクセスする。
【００８２】
４．局（ＳＴＡ）ハードウェア構成
図１０に、バス１４に結合されたコンピュータプロセッサ（ＣＰＵ）１６及びメモリ（ＲＡＭ）１８を有するハードウェアブロック１３内へのＩ／Ｏ経路１２を示すＳＴＡハードウェア構成の実施形態例１０を示しており、バス１４は、ＳＴＡにセンサ及びアクチュエータなどへの外部Ｉ／ＯをもたらすＩ／Ｏ経路１２に結合される。プロセッサ１６上では、ＳＴＡが「新規ＳＴＡ」又は既にネットワーク内に存在するＳＴＡのうちの１つの機能を実行できるようにするために実行される通信プロトコルを実装するプログラムを実行するための、メモリからの命令が実行される。また、このプログラムは、現在の通信状況において演じている役割に応じて異なるモード（ソース、中間、宛先）で動作するようにも構成されると理解されたい。この図示のホストマシンは、近隣ＳＴＡとの間でフレームを送受信する複数のアンテナ２４ａ〜２４ｎ、２６ａ〜２６ｎ、２８ａ〜２８ｎへの無線周波数（ＲＦ）回路２２ａ、２２ｂ、２２ｃに結合されたｍｍＷモデム２０を含むように構成される。また、このホストマシンは、（単複の）アンテナ３４への無線周波数（ＲＦ）回路３２に結合されたｓｕｂ−６ＧＨｚモデム３０を含むことも分かる。
【００８３】
従って、この図示のホストマシンは、２つの異なる帯域で通信を行えるように、２つのモデム（マルチバンド）及びその関連するＲＦ回路を含むように構成される。限定ではなく一例として、目的の指向性通信帯は、ｍｍＷ帯でデータを送受信するｍｍＷ帯モデル及びその関連するＲＦ回路で実装される。本明細書では一般に発見帯と呼ぶ他の帯域は、ｓｕｂ−６ＧＨｚ帯でデータを送受信するｓｕｂ−６ＧＨｚモデム及びその関連するＲＦ回路を含む。
【００８４】
この例では、ｍｍＷ帯のためのＲＦ回路を３つ示しているが、本開示の実施形態は、あらゆる任意の数のＲＦ回路に結合されたモデム２０を含むように構成することができる。一般に、使用するＲＦ回路の数が多ければ多いほど、アンテナビーム方向のカバレッジが広くなる。なお、利用するＲＦ回路の数及びアンテナの数は、特定の装置のハードウェア制約によって決まると理解されたい。ＲＦ回路及びアンテナの中には、ＳＴＡが近隣ＳＴＡと通信する必要がないと判断した時に無効にできるものもある。少なくとも１つの実施形態では、ＲＦ回路が、周波数変換器及びアレイアンテナコントローラなどを含み、ビームフォーミングを実行して送受信を行うように制御された複数のアンテナに接続される。このように、ＳＴＡは、複数のビームパターンの組を使用して信号を送信することができ、各ビームパターン方向がアンテナセクタとみなされる。
【００８５】
図１１に、ＳＴＡが複数の（例えば、３６個の）ｍｍ波アンテナセクタパターンを生成するために利用できるｍｍ波アンテナ方向の実施形態例５０を示す。この例では、ＳＴＡが、３つのＲＦ回路５２ａ、５２ｂ、５２ｃと接続アンテナとを実装し、各ＲＦ回路及び接続アンテナは、ビームフォーミングパターン５４ａ、５４ｂ、５４ｃを生成する。図示のアンテナパターン５４ａは、１２個のビームフォーミングパターン５６ａ、５６ｂ、５６ｃ、５６ｄ、５６ｅ、５６ｆ、５６ｇ、５６ｈ、５６ｉ、５６ｊ、５６ｋ及び５６ｎ（「ｎ」は、あらゆる数のパターンをサポートできることを表す）を有する。この特定の構成を使用する局の例は３６個のアンテナセクタを有するが、本開示は、あらゆる所望の数のアンテナセクタをサポートすることができる。説明を容易かつ明確にするために、以下の節では一般にさらに少ない数のアンテナセクタを有するノードについて説明するが、これを実装限界と解釈すべきではない。なお、アンテナセクタにはあらゆる任意のビームパターンをマッピングすることができると理解されたい。通常、ビームパターンは、鋭角ビーム（ｓｈａｒｐ  ｂｅａｍ）を生成するように形成されるが、複数の角度から信号を送受信するようにビームパターンを生成することも可能である。
【００８６】
アンテナセクタは、ｍｍ波ＲＦ回路の選択と、ｍｍ波アレイアンテナコントローラによって指示されるビームフォーミングとによって決まる。ＳＴＡハードウェアコンポーネントは、上述したものとは異なる機能分割を有することもできるが、このような構成は、説明する構成の変形例とみなすことができる。ｍｍ波ＲＦ回路及びアンテナの中には、ＳＴＡが近隣ＳＴＡと通信する必要がないと判断した時に無効にできるものもある。
【００８７】
少なくとも１つの実施形態では、ＲＦ回路が周波数変換器及びアレイアンテナコントローラなどを含み、送受信のためにビームフォーミングを実行するように制御される複数のアンテナに接続される。このように、ＳＴＡは、複数のビームパターンの組を使用して信号を送信することができ、各ビームパターン方向がアンテナセクタとみなされる。
【００８８】
図１２に、ＲＦ回路７２に取り付けられた準全方向性アンテナ７４の使用を想定したｓｕｂ−６ＧＨｚモデムのアンテナパターンの実施形態例７０を示すが、他の回路及び／又はアンテナを制限なく使用することもできる。
【００８９】
５．マルチバンド発見支援
ＳＴＡは、例えば本説明では少なくとも２つの帯域である複数の帯域に各ＳＴＡがアクセスできるマルチバンド対応装置である。これらの帯域の一方はノード発見の実行を簡素化し、本明細書では一般に発見帯と呼ぶ。限定ではなく一例として、発見帯は、８０２．１１ＷＬＡＮフレームワークにおけるｓｕｂ−６ＧＨｚ帯を含むことができる。ノード間の通信の大部分が行われてノード発見を支援することが必要とされる帯域は通信帯と呼ばれ、その指向性能力に照らして指向性通信帯と呼ばれる。
【００９０】
本開示では、これらの発見帯及び指向性通信帯の各々についてＭＡＣ層管理エンティティ（ＭＬＭＥ）を定める。
【００９１】
発見帯でマルチバンド能力及び発見支援機能を通知するＳＴＡは、アクセスポイント（ＡＰ）、ベーシックサービスセット（ＢＳＳ）ＳＴＡ、又は既にネットワークに接続されている他のＳＴＡを含むことができる既存のネットワーク局（ノード）である。
【００９２】
この通知は、マルチバンド要素を伝えた発見帯でビーコン又はいずれかのメッセージフレーム（例えばビーコン、プローブ要求、通知フレーム又は他のいずれかのフレーム）を送信することを通じて行われる。マルチバンド要素は、ＳＴＡが主に通信する他方の帯域に関する情報を伝える。マルチバンド要素は、ＳＴＡが発見帯を介して通信帯の発見支援をオファーしていることを示すべきである。
【００９３】
（単複の）新規マルチバンド対応ＳＴＡは、発見帯（例えば、２．４又は５ＧＨｚのＷｉＦｉ帯）のスキャンを開始する。新規ＳＴＡは、例えば意図する通信帯で有効になったマルチバンド要素及び発見支援を含むビーコンフレームを受け取った場合に支援を要求する。
【００９４】
新規ＳＴＡは、支援要求及び支援応答情報要素を交換することによって、発見されたＳＴＡに支援を要求する。これらの要素は、発見されたＳＴＡと新規ＳＴＡとの間で交換されるいずれかのフレームに追加することができる。例えば、これらの要素は、図１３〜図１７などに示す複数の要求−応答相互作用を通じて交換することができる。
【００９５】
図１３に、新規マルチバンド対応装置９２と既にネットワークに接続されている既存のマルチバンド対応装置９４との間の相互作用を示す、支援要求フレーム及び支援応答フレームを利用する支援発見の実施形態例９０を示す。これらの各装置を、ｍｍＷ  ＭＬＭＥ９６、１０２、及びｓｕｂ−６ＧＨｚ  ＭＬＭＥ９８、１００として例示する発見帯ＭＬＭＥで示す。交換では、発見支援能力を伝えるビーコン１０４が既存のＳＴＡからｓｕｂ−６ＧＨｚ帯を介して送信される。接続設定／ＲＳＮＡ認証設定が実行される（１０６）。次に、新規ＳＴＡがｓｕｂ−６ＧＨｚ帯を介して既存のＳＴＡに発見支援要求フレーム１０８を送信し、既存のＳＴＡが発見支援応答フレーム１１０を送信することによって応答する。発見プロセス後には、既存の局が、発見支援ウィンドウの長さにわたって全ての方向にフレーム／ビーコンでのビームフォーミング１１２を開始する。ビームフォーミング後には、接続設定処理１１４を行って新規ＳＴＡをネットワークに接続する。従って、発見帯において発見されたＳＴＡに新規ＳＴＡが結び付いた後で、支援要求及び応答要素を交換して２つのＳＴＡの間のリンクをセキュアにできることが分かる。
【００９６】
支援要求及び支援応答情報要素は、（ａ）ＳＴＡアドレス、（ｂ）指向性マルチギガビット（ＤＭＧ）能力情報とも呼ばれる指向性通信帯に関する情報、（ｃ）アンテナ能力情報、（ｄ）指向性通信帯情報、（ｅ）通信帯スキャンモード要求及び応答、（ｆ）発見支援ウィンドウ要求及び応答、（ｇ）新規ノードドゥエルタイム要求及び応答、並びに（ｈ）支援要求応答、といった情報を含む。なお、支援要求及び支援応答は、要求及びこの要求に対する応答のタイプを定める支援要求要素及び支援応答要素内のフィールドである。
【００９７】
本開示は、次の節において、ＤＡ情報を伝えるフレームの例として高速セッション転送（ＦＳＴ）フレームを利用する。上述した情報を交換できる限り、他の全てのフレーム又はあらゆる同様のフレーム（メッセージ）を同様に利用することもできる。
【００９８】
図１４に、新規マルチバンド対応装置１３２と既にネットワークに接続されているアクセスポイント（ＡＰ）マルチバンド対応装置１３４との間の相互作用を示す、高速セッション転送（ＦＳＴ）要求及びＦＳＴ応答フレームを利用した支援発見の実施形態例１３０を示す。これらの各装置を、ｍｍＷ  ＭＬＭＥ１３６、１４２、及びｓｕｂ−６ＧＨｚ  ＭＬＭＥ１３８、１４０として例示する発見帯ＭＬＭＥで示す。交換では、発見支援能力を伝えるビーコン１４４が既存のＳＴＡからｓｕｂ−６ＧＨｚ帯を介して送信される。接続設定／ＲＳＮＡ（認証）設定が実行される（１４６）。次に、新規ＳＴＡが、ｓｕｂ−６ＧＨｚ帯を介して、発見支援要求要素を有する高速セッション転送（ＦＳＴ）要求１４８をＡＰ１３４に送信し、ＡＰ１３４が発見支援要素１５０を有するＦＳＴ応答を送信することによって応答する。発見プロセス後には、ＡＰ局が、発見支援ウィンドウの長さにわたって全ての方向にフレーム／ビーコンでのビームフォーミング１５２を開始する。ビームフォーミング後には、接続設定処理１５４を行って新規ＳＴＡをネットワークのＡＰに接続する。これらの手順は、同じＢＳＳ又は異なるＢＳＳの一部である局が利用できるので、本明細書及び他の実施形態の図及び説明は、一般にあらゆる局に適用されると理解されたい。
【００９９】
図１５に、オンチャネルトンネリング（ＯＣＴ）要求フレーム及び応答フレームを通じた情報要求又は情報応答フレームを利用する支援発見の実施形態例１７０を示す。新規マルチバンド対応装置１７２とアクセスポイント（ＡＰ）マルチバンド対応装置１７４との間の相互作用を示す。これらの各装置を、ｍｍＷ  ＭＬＭＥ１７６、１８２、及びｓｕｂ−６ＧＨｚ  ＭＬＭＥ１７８、１８０として例示する発見帯ＭＬＭＥで示す。交換では、発見支援能力を伝えるビーコン１８４がＡＰからｓｕｂ−６ＧＨｚ帯を介して送信される。接続設定／ＲＳＮＡ（認証）設定が実行される１８６。次に、新規ＳＴＡが、そのｍｍＷ  ＭＬＭＥ１７６からｓｕｂ−６ＧＨｚ  ＭＬＭＥ１７８に対し、発見支援要求を含むＭＬＭＥ−ＯＣトンネル要求１８８を実行する。新規ＳＴＡのｓｕｂ−６ＧＨｚ  ＭＬＭＥ１７８は、発見支援を含むトンネル化ＭＭＰＤＵ情報要求でＯＣＴ要求１９０を伝える。この要求がＡＰにおいて受け取られ、ＡＰが、ＭＬＭＥ−ＯＣトンネル指示１９２（発見支援を含むトンネル化ＭＭＰＤＵ情報応答）を生成する。ＡＰのｍｍＷ１８２は要求を実行し、発見支援要求に応答して、トンネル化ＭＭＰＤＵ情報を含むＭＬＭＥ−ＯＣトンネル応答１９４を伝える。これに応答して、ＡＰのｓｕｂ−６ＧＨｚ  ＭＬＭＥを介して新規ＳＴＡのｓｕｂ−６ＧＨｚ  ＭＬＭＥにＯＣＴ応答１９６が送信され、ここからそのｍｍＷ  ＭＬＭＥにＭＬＭＥ−ＯＣトンネル確認１９８が送信される。発見プロセス後には、ＡＰ局が、発見支援ウィンドウの長さにわたって全ての方向にフレーム／ビーコンでのビームフォーミング２００を開始する。ビームフォーミング後には、接続設定処理２０２を行って新規ＳＴＡをネットワークＡＰに接続する。
【０１００】
図１６に、ネットワーク上の新規マルチバンド対応装置２１２とアクセスポイント（ＡＰ）マルチバンド対応装置２１４との間の相互作用を示す、プローブ要求フレーム及びプローブ応答フレームを利用する支援発見の実施形態例２１０を示す。これらの各装置を、ｍｍＷ  ＭＬＭＥ２１６、２２２、及びｓｕｂ−６ＧＨｚ  ＭＬＭＥ２１８、２２０として例示する発見帯ＭＬＭＥで示す。交換では、発見支援能力を伝えるビーコン２２４がＡＰからｓｕｂ−６ＧＨｚ帯を介して送信される。発見支援要素を含むプローブ要求２２６が新規ＳＴＡからＡＰに送信される。次に、ＡＰが、発見支援要素２２８を含むプローブ応答を送信することによって応答する。発見プロセス後には、ＡＰ局が、発見支援ウィンドウの長さにわたって全ての方向にフレーム／ビーコンでのビームフォーミング２３０を開始する。ビームフォーミング後には、接続設定処理２３２を行って新規ＳＴＡをネットワークＡＰに接続する。
【０１０１】
図１７に、新規マルチバンド対応装置２５２とネットワークＡＰ装置２５４との間の相互作用を示す、アソシエーション又は再アソシエーション要求フレーム又は応答フレームの実施形態例を示す。これらの各装置を、ｍｍＷ  ＭＬＭＥ２５６、２６２、及びｓｕｂ−６ＧＨｚ  ＭＬＭＥ２５８、２６０として例示する発見帯ＭＬＭＥで示す。交換では、ＡＰが、ｓｕｂ−６ＧＨｚ帯を介して発見支援能力情報を含むビーコン（又は他のフレーム）２６４を送信する。接続設定／ＲＳＮＡ（認証）設定２２６が実行される。次に、新規ＳＴＡが、ｓｕｂ−６ＧＨｚ帯を介して発見支援要素を含むアソシエーション又は再アソシエーション要求２６８をＡＰに送信し、ＡＰが、発見支援要素を含むアソシエーション又は再アソシエーション応答２７０を送信することによって応答する。発見プロセス後には、ＡＰが、発見支援ウィンドウの長さにわたって全ての方向にフレーム／ビーコンでのビームフォーミング２７２を開始する。ビームフォーミング後には、接続設定処理２７４を行って新規ＳＴＡをネットワークに接続する。従って、発見帯において新規ＳＴＡがＡＰに結び付いた後で、支援要求及び応答要素を交換して２つのＳＴＡ間のリンクをセキュアにできることが分かる。
【０１０２】
６．発見支援手順
６．１．ＢＳＳノードによる支援オファー
図１８Ａ及び図１８Ｂに、ＢＳＳノードが新規ＳＴＡに発見支援をオファーする実施形態例２９０を示す。このフロー図では、ＢＳＳが、例えばビーコン、又はネットワークの新規ＳＴＡに直接送信されるプローブ応答又はアソシエーション応答などの他のいずれかの所望のフレームなどのフレーム上の発見支援要素の指示を含むマルチバンド要素を発見帯（ｓｕｂ−６ＧＨｚなどの低帯域）でブロードキャストする（２９２）ことによって支援の利用可能性を示す。
【０１０３】
ＢＳＳ  ＳＴＡは、その低帯域ＢＳＳに参加したＳＴＡから発見支援要求を受け取る（２９４）。この要求は、例えばＤＡ情報要素が添付されたＦＳＴ設定要求フレーム（又はその他のビーコン／メッセージフレーム）又は他のフレームを通じて、上述した方法と同様の方法で受け取られる。
【０１０４】
発見支援要求が受け入れられない場合、ＢＳＳ  ＳＴＡは要求を無視し、図示の実行はブロック２９２に戻る。一方で、ＢＳＳ  ＳＴＡが新規ＳＴＡの支援を決定した場合にはブロック２９８に進む。ブロック２９８において、ｍｍＷ帯でビームフォーミングの実行又は発見の有効化を行うことなどによって、提供すべき発見支援のタイプを決定する。発見支援要求が受け入れられた場合、発見されたＢＳＳ  ＳＴＡは、例えば発見支援要素を含むＦＳＴ設定応答を送信する。発見支援要素は、ＤＡ要求が受け入れられたかどうか、また受け入れられた場合には発見支援がどのように実行されるかについて新規ＳＴＡに案内する全ての情報を含む。
【０１０５】
ブロック３００において、ＢＳＳ  ＳＴＡは、ビーコンスイープ３０２又はスケジュールされたビームフォーミング（ＢＦ）３０４という２つの方法のいずれかで発見支援を行う選択肢を有する。
【０１０６】
６．１．１．ビーコンスイープ（トリガされるＢＦ）
ビーコンスイープが選択された場合には、図１８Ｂのブロック３０２に進んで、ＢＳＳ  ＳＴＡが指向性通信帯（例えば、ｍｍＷ）に切り替えてビーコンスイープを開始し、例えばＢＳＳ  ＳＴＡは、ビーコン送信間隔（ＢＴＩ）中にビーコンのスイープを開始することができる。ビーコンの送信は、ＡＰの決定に従ういくつかのビーコン間隔後にスケジュールすることができる。このビーコンスイープは、１つのＢＩにおける完全な網羅的（ｆｕｌｌ  ｅｘｈａｕｓｔｉｖｅ）ビーコンスイープとすることも、或いはビーコン送信が断片化された部分的ビーコンスイープとすることもできる。ビーコンスイープスケジュールの詳細は、ＤＡ要素に含まれる。
【０１０７】
６．１．２．スケジュールされたビームフォーミング（スケジュールされたＢＦ）
スケジュールされたビームフォーミングが選択された場合には、図１８Ｂのブロック３０４に進んでＢＳＳ  ＳＴＡがビームフォーミングをスケジュールし、例えばＢＳＳ  ＳＴＡは、新規ＳＴＡとビームフォーミングフレームを交換する期間をＤＴＩ内にスケジュールすることができる。ビームフォーミング交換は、ＢＳＳ  ＳＴＡ又は新規ＳＴＡが開始することができる。ブロック３０４において、発見されたノードがＢＦを開始すべきであると決定された場合にはブロック３０６に進む。ブロック３０６において、ＢＳＳ  ＳＴＡはｍｍＷへの切り替えを行い、ＤＡ要素及びその他の要素において伝えられる発見支援のオファーを開始する。スケジュールされたビームフォーミングの詳細は、ＤＡ要素、並びに拡張スケジュール要素、時分割二重（ＴＤＤ）サービス期間（ＳＰ）スロット構造要素及びＴＤＤ  ＳＰスロットスケジュール要素のような発見支援応答フレーム（この例ではＦＳＴ設定応答）に添付できる追加要素に含まれる。
【０１０８】
ブロック３０４において新規ノードがＢＦを開始すべきであると決定された場合にはブロック３０８に進み、新規ノードが通信帯（すなわち、ｍｍＷ）への切り替えを行って、指定された時点でビームフォーミングフレームをスキャンする。
【０１０９】
６．２．新規ＳＴＡによる支援要求
図１９Ａ及び図１９Ｂに、新規ノードがネットワークに発見支援を要求する実施形態例３１０を示す。新規ＳＴＡは、発見帯（例えば、ｓｕｂ−６ＧＨｚ）をスキャンして、マルチバンド要素及びＤＡ指示を含むＢＳＳ  ＳＴＡビーコンを発見する（３１４）。新規ＳＴＡは、発見支援を要求する目的でＢＳＳ  ＳＴＡ（ＡＰ）に接続する（３１６）。
【０１１０】
発見帯（ｓｕｂ−６ＧＨｚ帯などの低帯域）のＢＳＳ  ＳＴＡに接続された新規ＳＴＡは、例えばＦＳＰ設定要求フレームを送信してこれに発見支援要素を添付することを通じて、ＡＰに送信されるフレーム内でＤＡ要求を送信する（３１８）。
【０１１１】
ブロック３２０において、新規ＳＴＡがＢＳＳ  ＳＴＡから発見支援応答を受け取ったかどうかのチェックが行われる。発見要求及び応答情報の受け渡しにはあらゆる数の異なるフレームを使用することができるが、この例では、ＤＡ要素が添付されたＦＳＴ設定応答フレームがＤＡ応答であるとみなす。発見支援応答が受け取られなかった場合、実行はブロック３１２に戻って発見チャネルスキャンを行う。一方で、ＤＡ応答が受け取られた場合、実行はブロック３２２に進み、この応答をチェックしてＤＡ要求が受け入れられたかどうかを判定する。ＤＡ要求が受け入れられなかった場合、実行は再びブロック３１２に戻ることが分かる。従って、ＤＡ要求が拒絶された場合、新規ＳＴＡは、支援を要求すべき新規ＢＳＳ  ＳＴＡを探すか、或いは同じＢＳＳ  ＳＴＡにＤＡ要求を再送することができる。一方で、ＤＡ要求が受け入れられると、実行は図１９Ｂのブロック３２４に進んで発見支援タイプを決定する。新規ＳＴＡは、この次のＤＡ段階においてｍｍＷ帯に切り替えて、ＢＳＳ  ＳＴＡにオファーされたＤＡを受け取る。
【０１１２】
新規ＳＴＡ  ＤＡ要求が受け入れられたので、新規ＳＴＡは、添付されたＤＡ要素から、オファーされた支援のタイプを含むオファーされた支援に関する情報を取得する。発見支援は、ビーコンスイープ３２６又はスケジュールされたビームフォーミング３２４という２つのタイプとすることができる。
【０１１３】
６．２．１．ビーコンスイープ（トリガされるＢＦ）
提供される支援のタイプがビーコンスイープである場合には、図１９Ｂのブロック３２６に進み、新規ＳＴＡは、ビーコンの開始時点、並びにビーコンをスイープする時間及び周波数に関する情報をＤＡ要素から取得する。新規ＳＴＡは、この情報を使用して、送信時にチャネルをスキャンしてビーコンを探す。
【０１１４】
６．２．２．スケジュールされたビームフォーミング
提供される支援のタイプがスケジュールされたビームフォーミングである場合には、図１９Ｂのブロック３２８に進み、スケジュールされたＢＦをどのように実行すべきであるかを決定する。ＤＡ要素は、新規ＳＴＡにＤＡのタイプを通知し、ＤＡ応答フレーム（例えば、ＦＳＴ設定応答）に添付された拡張スケジュール要素、ＴＤＤスロット構造要素及びＴＤＤスケジュール要素が利用可能である場合には、発見支援スケジューリング期間の詳細がこれらに含まれることが好ましい。発見されたノードがビームフォーミングフレームを送信する予定である場合にはブロック３３０に進み、新規局は、指定された時点にビームフォーミングフレームをスキャンする。一方で、新規ノードがビームフォーミングフレームを送信する予定である場合にはブロック３３２に進み、新規ノードは、指定された時点にｍｍＷに切り替えてビームフォーミングフレームを送信する。従って、いずれの場合にも、新規ＳＴＡがｍｍＷへの切り替えを行って、ＤＡ要素及びその他の要素において伝えられる発見支援の受け取りを開始することが分かる。
【０１１５】
７．ビームフォーミング同期
図２０に、新規ＳＴＡ３５２とＢＳＳ  ＳＴＡ３５４との間のビームフォーミングマルチバンド同期の実施形態例３５０を示す。図示の各ＳＴＡは、発見帯（低帯域）ＭＡＣ３５６、３６０、及びｍｍＷ帯ＭＡＣ３５８、３６２を有する。新規ＳＴＡの発見帯（低帯域）は、低帯域でＢＳＳ  ＳＴＡを発見してこれに接続して結び付くと、ＢＳＳ  ＳＴＡの発見帯（低帯域）に同期する。ＢＳＳ  ＳＴＡは、発見帯（低帯域）ＢＳＳ及びｍｍＷ帯ＢＳＳのタイミング同期関数（ＴＳＦ）オフセットを発見帯（低帯域）で転送する（３６６）。ＴＳＦオフセット情報は、マルチバンド要素を通じて転送される。新規ＳＴＡの低帯域ＭＡＣ（発見帯ＭＡＣ）は、ｍｍＷ帯ＭＡＣにＴＳＦオフセットを転送する（３７０）。新規ＳＴＡ及びＢＳＳ  ＳＴＡのｍｍＷ帯ＭＡＣは、これらを同期させるためにＴＳＦオフセット情報が使用された後に同期すると考えられる。
【０１１６】
ＢＳＳ  ＳＴＡは、ｍｍＷビームフォーミングプロセスのＢＦ同期情報（開始時間、終了時間、ビームフォーミングフレーム送信スタイル及び／又はスケジューリング情報）を新規ノードの発見帯（低帯域）ＭＡＣに低帯域で転送する（３７２）。ＢＦ同期情報は、発見支援要素、スケジューリング要素、スロット構造要素及びスロットスケジュール要素などのＦＳＴ設定応答フレームに関連する要素を通じて転送される。
【０１１７】
新規ＳＴＡの低帯域ＭＡＣから新規ＳＴＡのｍｍＷ  ＭＡＣにビームフォーミング同期情報が受け渡される（３７４）。低帯域で交換された情報を使用して、ｍｍＷ帯で同期ビームフォーミングが実行される（３７６）。
【０１１８】
上記の動作を採用することにより、新規ＳＴＡは、ｍｍＷ帯でいつビームフォーミングがスケジュールされているかについてのタイミング情報を、低帯域で交換される信号のみに依拠して取得することができる。新規ＳＴＡは、このタイミング情報を使用して、ｍｍＷ送信機及び／又は受信機を示されたタイミングで作動させることができる。
【０１１９】
８．情報要素の定義
８．１．発見支援情報要素
図２１及び図２２に、ビームフォーミングプロセスをトリガするために必要な情報を含む発見支援情報要素及び制御フィールドの実施形態例３９０、４１０を示す。
【０１２０】
図２１では、要素ＩＤ及び長さフィールドが、要素のＩＤ及びその長さを定める。要素ＩＤを含む要素ＩＤ拡張部は、要素のＩＤを定めて要素のタイプを示す。発見支援制御フィールドについては、後述する図２２に示す。ＢＴＩフィールドは、ビーコン間隔での支援発見ウィンドウ中の最初のＤＭＧビーコンフレーム送信の開始と、同じビーコン間隔でのＳＴＡによる最後のＤＭＧビーコンフレーム送信の終了との間の時間間隔を時間単位で表す。
【０１２１】
ビームフォーミング開始ＴＳＦフィールドは、発見支援の開始予定時間を表す。このフィールドは、ＤＭＧビーコンスイープの開始、時間領域複信（ＴＤＤ）サービス期間（ＳＰ）ビームフォーミング、又は新規ＳＴＡがアクティブスキャンを開始する予想時間を表すことができる。少なくとも１つの実施形態では、この値を、ビームフォーミングフレーム送信の開始時点にＤＭＧ  ＢＳＳのＴＳＦの下位４つのオクテット（ｌｏｗｅｒ  ｆｏｕｒ  ｏｃｔｅｔｓ）に含めることができる。
【０１２２】
発見支援ウィンドウ長は、発見されたＳＴＡが発見支援をオファーしている時間を時間単位で示す。この時間中、発見されたＳＴＡは、ビームフォーミングビーコン又はフレームを新規ＳＴＡに送信し、又はビームフォーミングフレーム又はプローブについて新規ＳＴＡをリスンする。
【０１２３】
ドゥエルタイムフィールドは、新規ＳＴＡがビームフォーミング又は発見信号をスキャンする際に受け取ったアンテナパターンをスイープする推奨時間をマイクロ秒で示す。
【０１２４】
一時的ＡＩＤ（支援ＩＤ）フィールドは、新規ＳＴＡの一時的ＡＩＤを表す、ＢＳＳ  ＳＴＡが新規ＳＴＡに割り当てる値を含む。拡張スケジュール要素が提供される場合、新規ＳＴＡはこの値を使用して、ＢＳＳ  ＳＴＡが新規ＳＴＡにスケジュールした期間を識別する。
【０１２５】
図２２に、発見支援制御フィールドのサブフィールドを示す。要求／応答指示サブフィールドは、この要素を含むフレームが発見支援要求（要求要素）を表すか、それとも受信側ノードから送信された発見支援要求に対する応答（応答要素）を表すかを受信側ノードに通知するために使用される。このフィールドが要求に設定されている場合、受信側ノードは、この要素の受信時に発見支援プロトコルをトリガする。フィールドが応答に設定されている場合、受信側ノードは、応答情報を抽出して送信側ノードからの発見支援を受け取る。
【０１２６】
発見支援タイプサブフィールドは、発見支援のタイプがスケジュールされたビームフォーミングフレーム送信又はトリガされたビームフォーミングのどちらを通じたものであるかを示す。このサブフィールドは、サブフィールドが要求要素内に存在する場合には要求を表し、サブフィールドが応答要素内に存在する場合には応答を表す。このサブフィールドが、トリガされるビームフォーミングに設定されると、指定された時点（ビームフォーミング開始ＴＳＦ）でビームフォーミング信号をトリガすることを通じて発見支援が行われ、この発見支援は、ビーコンスイープ又はＴＤＤビームフォーミングの形態とすることができる。このサブフィールドが、スケジュールされたビームフォーミングに設定されると、付属の拡張スケジュール要素内で発見支援がスケジュールされる。
【０１２７】
発見支援応答マップフィールドは、発見支援要求の応答を指定する。この実施形態例の発見支援応答マップフィールドの考えられる値は以下の通りである。状態００：帯域ＩＤ、動作クラス、チャネル番号及びＢＳＳＩＤ、又はその他の理由によって定められた帯域での発見支援要求を拒絶する。この要素を受け取ったＳＴＡは、発見支援手順を中止して任意に再開する必要がある。状態１０：帯域ＩＤ、動作クラス、チャネル番号及びＢＳＳＩＤによって定められる帯域での発見支援要求を受け入れる。この情報要素を受け取ったＳＴＡは、要素内の情報を処理し、ビームフォーミングフレーム又はビーコンの送信又は受信を含む発見支援手順を継続する。状態０１：帯域ＩＤ、動作クラス、チャネル番号及びＢＳＳＩＤ、又は他の許可されていないアクセス理由によって定められた帯域の発見支援要求を拒絶する。この要素を受け取ったＳＴＡは、発見支援手順を中止して任意に再開する必要がある。状態１１：帯域ＩＤ、動作クラス、チャネル番号及びＢＳＳＩＤ、又は提案される異なるＢＳＳの理由によって定められた帯域の発見支援機能を拒絶する。この要素を受け取ったＳＴＡは発見支援手順を中止して任意に再開することができる。
【０１２８】
時間単位サブフィールドは、次のビームフォーミングフレーム交換フィールドの時間単位を示す。１つの実施形態例では、値毎の時間単位が、０＝１μｓ、１＝１００μｓ、２＝４００μｓとして与えられ、値３〜１５は現在のところ予備である。新規ＳＴＡは、このフィールドを使用して、次のビームフォーミングフレームの時間単位を把握する。
【０１２９】
（ＢＩ単位での）ビームフォーミング期間サブフィールドは、ＤＭＧビーコンフレーム又はビームフォーミングフレームが存在しなくなる次のビームフォーミングフレームまでの時間後のビーコン間隔（ＢＩ）又はＴＤＤスロットの数を示す。発見されたＳＴＡは、ビームフォーミング期間毎にビーコン又はビームフォーミングフレームを送信する。発見されたＳＴＡは、ビームフォーミング期間毎に新規ＳＴＡからのビームフォーミングフレーム又はプローブ要求を予想することができる。
【０１３０】
断片的送信セクタスイープ（ＴＸＳＳ）サブフィールドは、１に設定されると、ＴＸＳＳが断片的セクタスイープであることを示し、０に設定されると、ＴＸＳＳが完全なセクタスイープであることを示す。このサブフィールドは、パッシブスキャンの場合にビームフォーミング又はビーコンスイープが複数のビーコン間隔にわたることをＳＴＡに通知するためのものである。
【０１３１】
ＴＸＳＳスパンサブフィールドは、ＤＭＧビーコンフレームを送信するＳＴＡがＴＸＳＳ段階を完了するために要するビーコン間隔数を示す。このサブフィールドは、常に１以上である。新規ＳＴＡは、ＴＸＳＳスパン期間中にビームフォーミングフレームが受け取られなかった場合、この情報を使用してスキャンプロセスの終了をより素早く決定するが、少なくともいくつかの例では、これによってビームフォーミングプロセスの効率が高まるはずである。
【０１３２】
８．２．拡張スケジュール要素
図２３〜図２５に、拡張スケジュール要素、並びにその割り当てフィールド及び割り当て制御サブフィールドの実施形態例４３０、４５０、４７０を示す。拡張スケジュール要素は、ｍｍＷ帯での割り当てに関する情報を含む。新規ＳＴＡは、この要素を使用して、ｍｍＷ帯での割り当て、及び他のいずれかのＳＴＡが発見のために自機に割り当てられるかどうかに関する情報を抽出する。新規ＳＴＡは、拡張スケジュール要素内の情報に基づいてＢＳＳに参加するか否かに関する決定を行うことができる。拡張スケジュール情報は、８０２．１１ＷＬＡＮ標準で規定されるものと同様の構造を有することができる。
【０１３３】
図２３に、識別（要素タイプ識別子）をもたらす要素ＩＤと、要素の長さと、割り当てフィールドの数とを有する拡張スケジュール要素を示す。
【０１３４】
図２４には、以下のフィールドを有する図２３の割り当てフィールドを例示する。割り当て制御サブフィールドについては図２５に示す。ＢＦ制御は、割り当てスロット内で搬送すべきビームフォーミングトレーニングのタイプに関する情報（イニシエータＴＸＳＳ又はレスポンダＴＸＳＳ）と、イニシエータ及び又はレスポンダからのトレーニングに使用されるトレーニングセクタの数、及び／又はＲＸ  ＤＭＧアンテナの総数とを含む。
【０１３５】
ソース及び宛先ＡＩＤは、ソース及び宛先のＩＤを表す。ソースが発見されたＳＴＡであり、宛先が新規ＳＴＡである場合、新規ＳＴＡはパッシブ発見を実行する。ソースＩＤが新規ＳＴＡであり、宛先ＩＤが発見されたＳＴＡである場合、新規ＳＴＡはアクティブ発見を実行する。ｍｍＷ帯では未だ局にＡＩＤが割り当てられていないので、新規ＳＴＡはＢＳＳ  ＳＴＡから一時的ＡＩＤを取得することができる。或いは、ＢＳＳ  ＳＴＡは、新規ＳＴＡにＡＩＤの予備値を割り当てる。この場合、（予備である）０のＡＩＤ値がこのトランザクションに使用される。
【０１３６】
割り当て開始時間は、割り当ての開始時間を示す。割り当てブロック継続時間、ブロック数及び割り当てブロック期間は、割り当て期間、及び割り当て開始後に同じＢＩ内で繰り返すかどうかを示す。追加フィールドは、ＷＬＡＮ８０２．１１標準で規定されるものと同じ文脈で利用することができる。
【０１３７】
図２５に、以下のサブフィールドを有する図２４に示す割り当て制御フィールドの例を示す。割り当てＩＤは、この割り当ての一意のＩＤを示すように定められる。割り当てタイプサブフィールドは、この割り当てがＣＢＡＰ、ＳＰ又はＴＤＤ  ＳＰのいずれであるかに関するチャネルアクセスのタイプに設定される。疑似スタティックサブフィールドは、割り当てが静的であり、発見支援ウィンドウ長の長さにわたって割り当てが有効であることを示すために使用することができる。
【０１３８】
切り捨て可能（Ｔｒｕｎｃａｔａｂｌｅ）サブフィールドは、ソースＤＭＧ  ＳＴＡ及び宛先ＤＭＧ  ＳＴＡがＳＰ割り当てのＳＰ切り捨てを要求できるかどうかを示す。拡張可能サブフィールドは、ソースＤＭＧ  ＳＴＡ及び宛先ＤＭＧ  ＳＴＡがＳＰ割り当てのＳＰ拡張を要求できるかどうかを示す。ＰＣＰアクティブサブフィールドは、ＰＣＰがアクティブモードである時に、ＣＢＡＰ又はＳＰ中の送信又は受信にＰＣＰが利用可能であるかどうかを示す。ＬＰ  ＳＣ使用（ＬＰ  ＳＣ  Ｕｓｅｄ）は、このＳＰ内で低電力ＳＣモードが使用されるかどうかを示す。
【０１３９】
８．３．ＤＭＧ能力要素
図２６に、ｍｍＷ帯におけるＳＴＡのＤＭＧ能力（説明するｍｍＷ帯などの指向性通信帯）に関する情報を提供する指向性通信帯（ＤＭＧ）能力情報要素の実施形態例４９０を示す。新規ＳＴＡ及びＢＳＳ  ＳＴＡは、互いの能力を認識して発見及びビームフォーミングプロセスを最適化するように、自機のＤＭＧ能力を交換することができる。
【０１４０】
新規ＳＴＡは、ＢＳＳ  ＳＴＡと通信できる低帯域において、ＢＳＳ  ＳＴＡにＤＭＧ能力情報要素を送信することができる。限定ではなく一例として、ＤＭＧ能力情報要素は、ＦＳＴ設定要求フレーム（又はその他の通信フレーム）と共に送信して、ｍｍＷ帯における新規ＳＴＡのＤＭＧ能力を示すことができる。
【０１４１】
これとは逆に、ＢＳＳ  ＳＴＡは、発見帯（低帯域）で新規ＳＴＡにＤＭＧ能力情報要素を送信して、どこでＢＳＳ  ＳＴＡと通信できるかを示すことができる。限定ではなく一例として、ＤＭＧ能力情報要素は、ＦＳＰ設定応答フレームと共に送信して、ｍｍＷ帯におけるＢＳＳ  ＳＴＡのＤＭＧ能力を示すことができる。ＤＭＧ能力情報要素は、他のフィールドに加えて以下の関心フィールドを含む。要素ＩＤ及び長さは、他のメッセージについて説明した通りである。ＳＴＡアドレスは、ＳＴＡのＭＡＣアドレスを含む。ＡＩＤフィールドは、ＡＰ又はＰＣＰがＳＴＡに割り当てるＡＩＤを含み、新規ＳＴＡはこのフィールドを予備にしておく。ＤＭＧ  ＳＴＡ能力情報フィールドのフィールド及びサブフィールドについては図２７に示す。
【０１４２】
以下のフィールドは、ＷＬＡＮ８０２．１１仕様に記載されており、本明細書には便宜上含めているにすぎない。ＡＰ又はＰＣＰ能力情報は、ＰＣＰ又はＡＰのいくつかの能力を定める。ＤＭＧ  ＳＴＡビームトラッキングタイムリミット（ＤＭＧ  ＳＴＡ  Ｂｅａｍ  Ｔｒａｃｋｉｎｇ  ＴｉｍｅＬｉｍｉｔ）は、ビームトラッキングの制限時間の値を設定するために使用される。拡張ＳＣ  ＭＣＳ能力フィールドは、いくつかのＭＣＳ値に対するＳＴＡのサポートを広告する。Ａ−ＭＤＳＵ内のベーシックＡ−ＭＳＤＵサブフレームの最大数は、ＤＭＧ  ＳＴＡが別のＤＭＧ  ＳＴＡから受け取ることができるＡ−ＭＳＤＵ内のベーシックＡ−ＭＳＤＵサブフレームの最大数を示す。Ａ−ＭＤＳＵ内の短Ａ−ＭＳＤＵサブフレームの最大数は、ＤＭＧ  ＳＴＡが別のＤＭＧ  ＳＴＡから受け取ることができるＡ−ＭＳＤＵ内の短Ａ−ＭＳＤＵサブフィールドの最大数を示す。
【０１４３】
図２７に、指向性通信帯（ＤＭＧ）ＳＴＡ能力情報フィールドフォーマットの実施形態例５１０を示す。なお、要素は、図面のページ幅に合わせることのみを目的として任意にいくつかの区分に分割して示しており、ＷＬＡＮ８０２．１１標準に規定されるものと同じ文脈で他のフィールドを含めることもできる。
【０１４４】
以下のフィールドは、ＷＬＡＮ８０２．１１仕様に記載されており、本明細書には便宜上含めているにすぎない。逆方向（Ｒｅｖｅｒｓｅ  Ｄｉｒｅｃｔｉｏｎ）は、ＳＴＡが逆方向送信をサポートしているかどうかを示す。上位層タイマ同期サブフィールドは、ＳＴＡが上位層タイマ同期をサポートしているかどうかを示す。ＴＰＣサブフィールドは、ＳＴＡが送信電力制御をサポートしているかどうかを示す。ＳＰＳＨ（空間共有）及び干渉軽減サブフィールドは、ＳＴＡが空間共有及び干渉軽減の機能を実行できるかどうかを示す。
【０１４５】
ＲＸ  ＤＭＧアンテナサブフィールド数（Ｂ４〜Ｂ５）は、ＳＴＡの受信ＤＭＧアンテナの総数を示す。高速リンク適応サブフィールドは、ＷＬＡＮ８０２．１１標準に規定されており本明細書には便宜上含めているにすぎない高速リンク適応手順をＳＴＡがサポートしているかどうかを示す。セクタサブフィールド総数（Ｂ７〜Ｂ１３）は、ＤＭＧアンテナ切り替えに必要ないずれかのＬＢＩＦＳを含む全てのＤＭＧアンテナにわたって組み合わされた送信セクタスイープにおいてＳＴＡが使用する送信セクタの総数を示す。
【０１４６】
ＲＸＳＳ長サブフィールド（Ｂ１４〜Ｂ１９）によって表される値は、ＤＭＧアンテナ切り替えに必要ないずれかのＬＢＩＦＳを含むＳＴＡの全ての受信ＤＭＧアンテナにわたって組み合わされた受信セクタの総数を示す。
【０１４７】
ＤＭＧアンテナ相互依存（ＤＭＧ  Ａｎｔｅｎｎａ  Ｒｅｃｉｐｒｏｃｉｔｙ）（Ｂ２０）サブフィールドは、１に設定されると、ＳＴＡの最良の送信ＤＭＧアンテナがＳＴＡの最良の受信ＤＭＧアンテナと同じものであり、逆もまた同様であることを示す。その他の場合、このサブフィールドは０に設定される。
【０１４８】
以下のフィールドは、ＷＬＡＮ８０２．１１仕様に記載されており、本明細書には便宜上含めているにすぎない。Ａ−ＭＰＤＵパラメータは、Ａ−ＭＰＤＵのパラメータを定める。フロー制御付きＢＡは、ＳＴＡがフロー制御付きのブロックＡＣＫをサポートしているかどうかを示す。サポートされるＭＣＳセットは、ＳＴＡがサポートするＭＣＳを示す。サポートされるＤＴＰは、ＳＴＡが動的トーンペアリング（ｄｙｎａｍｉｃ  ｔｏｎｅ  ｐａｉｒｉｎｇ）をサポートしているかどうかを示す。サポートされるＡ−ＰＰＤＵサブフィールドは、ＳＴＡがＡ−ＰＰＤＵ集約をサポートしているかどうかを示す。他のＡＩＤサポート（Ｓｕｐｐｏｒｔｓ  Ｏｔｈｅｒ  ＡＩＤ）サブフィールドは、ＳＴＡがそのＡＷＶ構成をどのように設定するかを示す。
【０１４９】
アンテナパターン相互依存サブフィールドは、１に設定されると、ＡＷＶに関連する送信アンテナパターンが、同じＡＷＶの受信アンテナパターンと同じものであることを示す。その他の場合、このサブフィールドは０に設定される。
【０１５０】
以下のフィールドは、ＷＬＡＮ８０２．１１仕様に記載されており、本明細書には便宜上含めているにすぎない。心拍経過指示（Ｈｅａｒｔｂｅａｔ  Ｅｌａｐｓｅｄ  Ｉｎｄｉｃａｔｉｏｎ）サブフィールドは、ＳＴＡが心拍フレームの受信を予想しているかどうかを示す。サポートされる許可ＡＣＫ（Ｇｒａｎｔ  ＡＣＫ  ｓｕｐｐｏｒｔｅｄ）は、ＳＴＡが許可フレームに対して許可ＡＣＫフレームで応答できるかどうかを示す。サポートされるＲＸＳＳ  ＴｘＲ  ＡＴＥは、ＳＴＡがＤＭＧ  ＳＣ変調クラスのＭＣＳ１で送信されたＳＳＷフレームでＲＸＳＳを実行できるかどうかを示す。現在のところ、予備フィールド（Ｂ６１〜Ｂ６２）も存在する。
【０１５１】
８．４．マルチバンド要素
図２８及び図２９に、マルチバンド要素及びその制御フィールドのフォーマットの実施形態例５３０、５５０を示す。要素ＩＤ及びその長さは、各情報要素に対する標準である。マルチバンド制御フィールドは、ＩＥＥＥ８０２．１１標準文書に規定される通りであり、図２９に示すサブフィールドを有する。帯域ＩＤ、チャネル番号及びＢＳＳＩＤは、ＳＴＡがサポートしているチャネル、帯域及びＢＢＳＩＤを示す。
【０１５２】
帯域ＩＤフィールドは、動作クラスに関連する周波数帯の識別、及びチャネル番号フィールドを提供する。動作クラスは、マルチバンド要素が適用されるチャネルセットを示す。チャネル番号フィールドは、送信側ＳＴＡが動作している又は動作する予定のチャネルの番号に設定される。ＢＳＳＩＤフィールドは、チャネル番号及び帯域ＩＤフィールドによって示されるチャネル及び周波数帯で動作するＢＳＳのＢＳＳＩＤを示す。ビーコン間隔フィールドは、チャネル番号及び帯域ＩＤフィールドによって示されるチャネル及び周波数帯で動作するＢＳＳのビーコン間隔のサイズを示す。
【０１５３】
ＴＳＦオフセットは、この要素が送信されるＭＰＤＵのＢＳＳＩＤに対応するＢＳＳのＴＳＦに対する、送信側ＳＴＡがこの要素に示されるチャネルのメンバであるＢＳＳのＴＳＦの時間オフセットを示す。この要素を受け取ったノードは、この値をビーコン間隔と共に使用して、この要素に示されるチャネル上でＢＳＳＩＤに同期することができる。
【０１５４】
マルチバンド接続能力フィールドは、この要素に示されるチャネル及び帯域上でＳＴＡによってサポートされる接続能力を示す。ＦＳＴセッションタイムアウトフィールドは、ＦＳＴ設定プロトコルのタイムアウト値を示すために使用される。ＳＴＡ  ＭＡＣアドレスフィールドは、送信側ＳＴＡが使用するＭＡＣアドレスを含む。ペアワイズ暗号スイートカウント（Ｐａｉｒｗｉｓｅ  Ｃｉｐｈｅｒ  Ｓｕｉｔｅ  Ｃｏｕｎｔ）フィールドは、ペアワイズ暗号スイートリストフィールドに含まれるペアワイズ暗号スイートセレクタの数を示す。ペアワイズ暗号スイートリストフィールドは、ペアワイズ暗号スイートを示す一連の暗号スイートセレクタを含む。
【０１５５】
図２９のマルチバンド制御フィールドのサブフィールドは以下の通りである。ＳＴＡロールサブフィールドは、この要素に示される動作クラスのチャネル上で送信側ＳＴＡが演じる役割を示す。ＳＴＡ  ＭＡＣアドレス存在サブフィールドは、マルチバンド要素にＳＴＡ  ＭＡＣアドレスサブフィールドが存在するかどうかを示す。ペアワイズ暗号スイート存在サブフィールドは、マルチバンド要素にペアワイズ暗号スイートカウントフィールド及びペアワイズ暗号スイートリストフィールドが存在するかどうかを示す。
【０１５６】
ＤＡプロトコルにとって恐らく最も関心の高いものは、ＳＴＡが発見支援プロトコルをサポートしていることを示す発見支援有効サブフィールドである。
【０１５７】
例えば、ＷＬＡＮ８０２．１１標準に規定されているものと同じ文脈で他のフィールドを組み込むこともできる。
【０１５８】
８．５．ＦＳＴ設定要求フレームフォーマット
ＦＳＴ設定要求フレームの実施形態例は、１−カテゴリ、２−ＦＳＴアクション、３−ダイアログトークン、４−ＬＬＴ、５−セッション遷移、６−マルチバンド（任意）、７−発見支援（任意）、８−ＤＭＧ能力（任意）、９−必要に応じたその他の要素、である。
【０１５９】
カテゴリフィールド及びＦＳＴアクションフィールドは、フレームのタイプを定める。マルチバンドフィールドは、ＳＴＡが発見をトリガするように要求しているＭＬＭＥのマルチバンド要素を含む。この要素に含まれるチャネル、周波数帯及びＭＡＣアドレスを使用して、周波数及び支援すべきＳＴＡをピアＳＴＡに通知する。発見支援フィールドは、規定の周波数帯でのチャネル上の発見のトリガ又はスケジュールを要求しているＳＴＡの発見支援要素を含む。
【０１６０】
この要素は、ピアＳＴＡによる発見プロセスの最適化を支援する情報も含む。ＤＭＧ能力フィールドは、ｍｍＷ帯における新規ＳＴＡの能力に関してＢＳＳ  ＳＴＡに通知するために新規ＳＴＡからＢＳＳ  ＳＴＡに送信される。ＢＳＳ  ＳＴＡは、この情報を使用して、ビームフォーミング信号の送信を新規ＳＴＡ  ＤＭＧ能力に適応させる。
【０１６１】
ＷＬＡＮ８０２．１１標準に規定されているものと同じ文脈で利用されるフィールドなどの他のフィールドを組み込むこともできる。
【０１６２】
８．６．ＦＳＴ設定応答フレームフォーマット
ＦＳＴ設定応答フレームの実施形態例は、１−カテゴリ、２−ＦＳＴアクション、３−ダイアログトークン、４−ＬＬＴ、５−セッション遷移、６−マルチバンド要素（任意）、７−発見支援要素（任意）、８−ＤＭＧ能力要素（任意）、９−拡張スケジュール要素（任意）、１０−スロット構造要素（任意）、１１−スロットスケジュール要素（任意）、及び１２−必要に応じたその他の要素、である。
【０１６３】
カテゴリフィールド及びＦＳＴアクションフィールドは、フレームのタイプを定める。マルチバンドフィールドは、ＳＴＡが発見のトリガを要求しているＭＬＭＥのマルチバンド要素を含む。この要素に含まれるチャネル、周波数帯及びＭＡＣアドレスを使用して、ピアＳＴＡに周波数及び支援すべきＳＴＡを通知する。
【０１６４】
発見支援フィールドは、フレームのマルチバンド要素が指定するチャネル上で実行される確認された発見支援の属性を知らせる発見支援要素を含む。この要素は、ピアＳＴＡによる発見プロセスの最適化を支援する情報も含む。ＤＭＧ能力フィールドは、ｍｍＷ帯におけるＢＳＳ  ＳＴＡの能力に関して新規ＳＴＡに通知するためにＢＳＳ  ＳＴＡから新規ＳＴＡに送信される。新規ＳＴＡは、この情報を使用して、ビームフォーミング信号の送信をＢＳＳ  ＳＴＡ  ＤＭＧ能力に適応させる。拡張スケジュールフィールドは、発見支援が実行されるタイミングを示す拡張スケジュール要素を含む。スロット構造フィールドは、ＴＤＤスロット構造を示すスロット構造要素を含む。スロットスケジュールフィールドは、スケジュール情報を示すスロットスケジュール要素を含む。ＷＬＡＮ８０２．１１標準に規定されているものと同じ文脈で利用されるフィールドなどの他のフィールドを組み込むこともできる。
【０１６５】
９．発見支援の実装例
９．１．ビーコンスイープを通じた発見支援例
図３０に、ビーコンスイープを通じた発見支援の実施形態例５７０を示す。図の上部には、ＢＳＳ  ＳＴＡ５７２及び新規ＳＴＡ５７４による発見帯（ｓｕｂ−６ＧＨｚ帯などの低帯域）を介した通信を示し、図の下部には、ＡＰ５７６、スキャンオプション１  ５７８を使用する新規ＳＴＡ、及びスキャンオプション２  ５８０を使用する新規ＳＴＡの通信帯（本明細書に例示する上位帯、限定するわけではないが６０ＧＨｚ）を介した通信を示す。
【０１６６】
ＡＰは、ＤＡ（発見支援）有効指示を含むビーコン５８２を送信する。新規ＳＴＡは、これらのマルチバンド能力及びＤＡ能力を示すビーコンをＢＳＳ  ＡＰから低帯域で受け取る（５８４）。新規ＳＴＡは、ＦＳＴ設定要求５８６及び応答５８８で例示する、発見されたＢＳＳ  ＡＰとの接続を低帯域で形成する。新規ＳＴＡは、ＦＳＴ設定要求フレームを送信し、ＦＳＴ設定要求フレームに以下の要素を添付する。（ａ）新規ＳＴＡが支援を要求している帯域及びチャネルを示すマルチバンド要素を添付する。（ｂ）要求に設定された要求／応答サブフィールドを発見支援要素に添付する。（ｃ）新規ＳＴＡのアンテナ構成及びＴＤＤ  ＳＰのサポート可能性を含む新規ＳＴＡに関する情報を含む、ＷＬＡＮ８０２．１１標準によって規定されるＤＭＧ能力要素などの能力要素を添付する。
【０１６７】
ＢＳＳ  ＡＰは、発見支援要素及びその他の能力要素及びマルチバンド要素を含むＦＳＴ設定要求を受け取り、新規ＳＴＡに発見支援をオファーするか否かを決定する。図示の例では、ＢＳＳ  ＡＰが、発見支援（ＤＡ）要素と、任意にマルチバンド要素とを含むＦＳＴ設定応答フレーム５８８を送信する。ＤＡ要素は、以下の情報を含む。（ａ）発見支援応答マップは、ＦＳＴ設定要求フレームに添付される場合又は予め送信される場合、マルチバンド要素に示される帯域及びチャネルでＡＰが新規ＳＴＡの支援を受け入れるか、それとも拒絶するかを示す。決定が受け入れである場合、以下のフィールド及びサブフィールドが使用される。（ｂ）発見支援タイプサブフィールドは、時間トリガに設定される。この設定は、ビームフォーミング信号が特定の時点に送信されることを示す。この時点は、ビームフォーミング開始ＴＳＦフィールドによって示される。ビームフォーミング開始ＴＳＦフィールドは、ＢＳＳｍｍＷ  ＳＴＡがビーコンのスイープを開始する時点を示す。（ｃ）ビーコン送信間隔は、ＢＴＩフィールド内に示される。新規ＳＴＡは、このフィールドを使用して、新規ＳＴＡのスキャン時間をＢＴＩ間隔に調整し、この時間中にスキャンする。チャネルが使用中である場合には、ビーコンの送信が遅延する恐れがあるので、新規ＳＴＡは、そのスキャン時間をＢＴＩよりも長く延ばすことができる。（ｄ）ビームフォーミング期間サブフィールドは、１つのＢＩにおけるビーコンのスイープと別のＢＩにおけるビーコンの再スイープとの間の期間（この例ではＢＩ）を示す。例えば、ビームフォーミング期間がゼロである場合には、ビーコンが発見ウィンドウ長のＢＩ毎にスイープされることを示す。以前のＢＩでビーコンが受け取られなかった場合、新規ＳＴＡは、このフィールドを使用してビーコンの再送信時間５９０を予測する。（ｅ）断片化ＴＸＳＳは、ビーコンスイープが部分的スイープであるかどうかを示す。ＴＸＳＳスパンは、ＤＭＧビーコンフレームを送信するＳＴＡがＴＸＳＳ段階を完了するのに必要なビーコン間隔の数を示す。このサブフィールドが１である場合、完全なスイープが行われることを示す。１又は２以上のＴＸＳＳスパン期間内にビームフォーミングフレームが受け取られなかった場合、新規ＳＴＡは、この情報を使用してスキャンプロセスがいつ終了するかをより素早く決定し、いくつかの例ではこれによってビームフォーミング効率も高まるはずである。（ｆ）発見支援ウィンドウ長は、ＢＳＳ  ＳＴＡが新規ＳＴＡの発見目的でビーコンをスイープする時間を示す。（ｇ）ドゥエルタイムは、ビーコンのスイープ速度を示すことができる。新規ＳＴＡは、このドゥエルタイムフィールドを使用して、ビーコンスキャンのために受信アンテナパターンをスイープする期間を決定することができる。
【０１６８】
ＢＳＳ  ＡＰは、ＦＳＴ設定要求、具体的にはｍｍＷ帯での発見支援期間中における新規ノードのＤＭＧビーコンスイープ５９１を設計する新規ノードアンテナ構成と共に送信された情報を指向性通信帯（ＤＭＧ）能力内で使用する。ＢＳＳ  ＳＴＡは、新規ＳＴＡのＴＸ及びＲＸアンテナパターンの数及び相互依存状態が分かると、（ａ）ビーコンに添付されるトレーニングフィールドの数を新規ＳＴＡのＲＸアンテナパターンの数に一致するように調整し、（ｂ）ＡＢＦＴスロットの数を調整し、（ｃ）ＡＢＦＴ期間のＳＳＷフレームフィールドの数を新規ＳＴＡのＴＸアンテナパターンの数に一致するように調整し、（ｄ）ＢＳＳ  ＳＴＡのレイテンシ制約に基づいて、完全なビーコンスイープ又は部分的スイープのいずれを実行すべきかを決定する、ことを行うことができる。ビーコンヘッダ間隔（ＢＨＩ）は、ビーコンが異なる方向にスイープ及び送信されている間隔である。図示の手順は、この間隔が最小に維持される（１又は２以上のビーコンを送信する）ことによって狭いＢＨＩ５９２、６００が生じ、新規ノードの参加時又はノードによる発見の要求時にはＢＨＩが完全な長さになるようなものである。
【０１６９】
ＡＰは、発見支援ウィンドウ長５９４の期間を通じてビーコン間の期間５９８を含むビーコンスイープ５９６を開始することが分かる。
【０１７０】
新規ＳＴＡは、発見帯（低帯域）でＦＳＴ設定応答を受け取ると指向性通信帯（ｍｍＷ）に切り替え、要求が受け入れられた場合にビーコンをスキャンする。発見支援タイプがビーコンスイープである場合、新規ＳＴＡは、ビームフォーミング開始時点にｍｍＷのスキャンを開始する。新規ＳＴＡは、異なるアンテナパターン６０２を示すオプション１参照５７８として示すように、ドゥエルタイムを使用して、ｍｍＷ帯でのＲＸアンテナパターンが指定されていればこれを切り替えることができる。或いは、新規ＳＴＡは、オプション２参照５８０として示すように、ＢＴＩ及びビームフォーミング期間の情報を使用することによって、ビーコンスイープ６０４、６０６の時間にのみスキャンを行うこともできる。
【０１７１】
新規ＳＴＡは、ビームフォーミング開始時間から発見支援ウィンドウ長期間が過ぎた後、又はｍｍＷ帯でのＢＳＳ  ＳＴＡとのビームフォーミングを完了した時にスキャンを停止することができる。
【０１７２】
９．１．１．情報要素パラメータ設定
ＦＳＴ設定要求フレーム及び応答フレームは、発見支援有効フィールドが設定されたマルチバンド要素、フレームを送信するＳＴＡの指向性通信帯（ＤＮＧ）能力及び発見支援要素を反映するＤＭＧ能力要素と共に低帯域で送信される。
【０１７３】
９．１．１．１．ＦＳＴ設定要求フレームでの発見支援
図３１及び図３２に、発見支援要素及びその発見支援制御フィールドの実施形態例６１０、６３０を示す。ＮＡで表記したフィールド及びサブフィールドは、ＦＳＴ設定要求フレームでの発見支援のために確保される。
【０１７４】
図３１には、要素のタイプ及びそのタイプの長さを識別する他のメッセージと同様の要素ＩＤ、要素ＩＤ拡張部及び長さを示す。発見支援制御フィールドについては、そのサブフィールドを図３２に示す。ＢＴＩフィールドは、ビーコン間隔内の支援発見ウィンドウ中の最初のＤＭＧビーコンフレーム送信の開始と、同じビーコン間隔内のＳＴＡによる最後のＤＭＧビーコンフレーム送信の終了との間の時間間隔を時間単位で表す。ビームフォーミング開始ＴＳＦフィールドは、発見支援が開始される時点を表す。発見支援ウィンドウ長は、発見されたＳＴＡが発見支援をオファーしている時間を時間単位で示す。ドゥエルタイムは、各ビーム間の時間がドゥエルタイムに等しい指向性ビームで新規ＳＴＡが媒体をスキャンしていることを示すために任意に使用される。このフィールドがゼロに設定された場合には、初期スキャンが準全方向であることを示す。一時的ＡＩＤ（支援ＩＤ）フィールドは、新規ＳＴＡに対する一時的ＡＩＤを表す、ＢＳＳ  ＳＴＡが新規ＳＴＡに割り当てる値を含む。
【０１７５】
図３２では、図３１に示す発見支援制御フィールドのサブフィールドが以下の通りである。要求／応答指示サブフィールドは、要求に設定すべきである。発見支援タイプは、ビームフォームトリガに設定されると、ビームフォーミングフレームのトリガを通じた発見支援を行うための要求を示すことができる。この要求は、ＢＳＳ  ＳＴＡの決定によって無効にすることができる。他の実施形態は、このサブフィールドを無視して、ＢＳＳ  ＳＴＡによって決定された発見支援タイプの選択を行うことができる。
【０１７６】
発見支援応答マップフィールドは、発見支援要求の応答を指定する。時間単位サブフィールドは、次のビームフォーミングフレーム交換フィールドの時間単位を示す。ビームフォーミング期間（ＢＩ）サブフィールドは、ＤＭＧビーコンフレーム又はビームフォーミングフレームが存在しなくなる次のビームフォーミングフレームまでの時間後のビーコン間隔（ＢＩ）又はＴＤＤスロットの数を示す。断片化送信セクタスイープ（ＴＸＳＳ）サブフィールドは、１に設定されると、ＴＸＳＳが断片化セクタスイープであることを示し、０に設定されると、ＴＸＳＳが完全なセクタスイープであることを示す。ＴＸＳＳスパンサブフィールドは、ＤＭＧビーコンフレームを送信するＳＴＡがＴＸＳＳ段階を完了させるのに必要なビーコン間隔の数を示す。残りのビットは予備である。
【０１７７】
９．１．１．２．ＦＳＴ設定応答フレームでの発見支援（ＤＡ）
図３３及び図３４に、ＦＳＴ応答フレーム及びその発見支援制御フィールドの実施形態例６５０、６７０を示す。ＮＡで表記したフィールド及びサブフィールドは、ＦＳＴ設定要求フレームでの発見支援のために確保される。
【０１７８】
図３３には、要素のタイプ及びそのタイプの長さを識別する他のメッセージと同様の要素ＩＤ、要素ＩＤ拡張部及び長さを示す。発見支援制御フィールドについては、そのサブフィールドを図３４に示す。ＢＴＩは、ビーコン送信間隔を示す。ビームフォーミング開始ＴＳＦは、ビームスイープが開始される時点を示す。発見支援ウィンドウ長は、ＢＳＳ  ＳＴＡが発見支援をオファーしている時間を示す。ドゥエルタイムは、各ビーム間の時間がドゥエルタイムに等しい指向性ビームで新規ＳＴＡが媒体をスキャンしていることを示すために任意に使用される。このフィールドがゼロに設定された場合には、初期スキャンが準全方向であることを示す。一時的ＡＩＤ（支援ＩＤ）フィールドは、新規ＳＴＡに対する一時的ＡＩＤを表す、ＢＳＳ  ＳＴＡが新規ＳＴＡに割り当てる値を含む。
【０１７９】
図３４では、図３３に示す発見支援制御フィールドのサブフィールドが以下の通りである。要求／応答指示サブフィールドは、要求に設定すべきである。発見支援タイプは、ビームフォームトリガに設定されると、オファーされている発見支援タイプを示す。発見支援マップは、発見支援要求の応答に設定される。このフィールドの値が拒絶を反映するようなものである場合、要素内の他の全てのフィールドは無視される。時間単位は、ＢＴＩ時間単位を示すように設定される。ビームフォーミング期間（ＢＩ）は、発見支援ウィンドウ長内でビームフォーミングがトリガされるＢＩの期間を示す。断片化ＴＸＳＳは、ビームフォーミングが断片化されているかどうかを示す。ＴＸＳＳスパンは、断片化ＴＸＳＳが設定されている場合、ビームフォーミングスパンを示す。残りのビットは予備である。
【０１８０】
９．２．ＴＤＤ  ＳＰビームフォーミングのトリガを介したＤＡ例
図３５に、ＴＤＤ  ＳＰビームフォーミングのトリガを通じた発見支援の実施形態例６９０を示す。図の上部には、ＢＳＳ（ＡＰ）ＳＴＡ６９２及び新規ＳＴＡ６９４による発見帯（ｓｕｂ−６ＧＨｚなどの低帯域）を介した通信を示し、図の下部には、イニシエータ６９６、第１のオプション６９８を使用するレスポンダ（新規ＳＴＡ）、第２のスキャンオプション７００を使用するレスポンダ（新規ＳＴＡ）、及び第３のスキャンオプション７０２を使用するレスポンダ（新規ＳＴＡ）の指向性通信帯（本明細書に例示する上位帯、限定するわけではないが６０ＧＨｚ）を介した通信を示す。
【０１８１】
ＡＰは、マルチバンド及びＤＡ能力を示すｓｕｂ−６ＧＨｚビーコン７０４を送信し、これを新規ＳＴＡが受け取る（７０６）ことが分かる。新規ＳＴＡは、発見されたＢＳＳ  ＡＰとの接続を低帯域で形成する。この例では、新規ＳＴＡがＦＳＴ設定要求フレーム７０８を送信し、（ａ）新規ＳＴＡが支援を要求している帯域及びチャネルを示すマルチバンド要素、（ｂ）要求に設定された要求／応答サブフィールドを含む発見支援要素、及び（ｃ）例えば指向性通信帯（ＤＭＧ）能力要素などの能力要素、をＦＳＴ設定要求フレームに添付する。ＤＭＧ能力情報は、ＷＬＡＮ８０２．１１標準によって規定される通りであり、新規ＳＴＡのアンテナ構成及びＴＤＤ  ＳＰのサポート可能性を含む、新規ＳＴＡに関する情報を有する。
【０１８２】
ＢＳＳ  ＡＰは、発見支援要素及びその他の能力要素及びマルチバンド要素を含むＦＳＴ設定要求を受け取り、新規ＳＴＡに発見支援をオファーすべきか否かを決定する。この例では、ＢＳＳ  ＡＰが、発見支援をオファーすることを決定し、発見支援要素と、場合によってはマルチバンド要素と、スロット構造要素と、スロットスケジュール要素とを含むＦＳＴ設定応答フレーム７１０を送信する。ＤＡ要素は、以下の情報を含む。（ａ）ＦＳＴ設定要求フレームに添付される場合又は予め送信される場合、マルチバンド要素に示される帯域及びチャネルでＡＰが新規ＳＴＡの支援を受け入れるか、それとも拒絶するかを示す発見支援応答マップ。決定が受け入れである場合、以下のフィールド及びサブフィールドが利用される。（ｂ）発見支援タイプサブフィールドは、時間トリガに設定される。この設定は、ビームフォーミング信号が特定の時点に送信されることを示す。この時点は、ビームフォーミング開始ＴＳＦフィールドによって示され、ビームフォーミングの開始までの時間を提供する（７１２）。ビームフォーミング開始ＴＳＦフィールドは、ＢＳＳｍｍＷ  ＳＴＡがビーコンのスイープを開始する時点を示す。（ｃ）発見支援ウィンドウ長７１４は、ＢＳＳ  ＳＴＡが新規ＳＴＡの発見目的でビームフォーミングフレームを送信する時間を示す。（ｄ）ドゥエルタイムは、ビームフォーミングフレームがスイープを行う速度を有することができる。新規ＳＴＡは、このフィールドを使用して、ＴＤＤビームフォーミングフレームのスキャンのために受信アンテナパターンをスイープする期間を決定することができる。
【０１８３】
ＢＳＳ  ＡＰは、ＦＳＴ設定要求、具体的にはｍｍＷ帯での発見支援期間中における新規ノードのＴＤＤ  ＳＰビームフォーミングプロセスを設計する新規ノードアンテナ構成と共に送信された情報をＤＭＧ能力内で使用する。ＢＳＳ  ＳＴＡは、新規ＳＴＡのＴＸ及びＲＸアンテナパターンの数及び相互依存状態が分かると、別のセクタからの新たなＳＳＷフレーム送信への切り替え前に１つのセクタからＳＳＷフレームが送信されるスロットの数を調整することができる。
【０１８４】
新規ＳＴＡは、発見帯（低帯域）でＦＳＴ設定応答を受け取ると指向性通信帯（ｍｍＷ）に切り替え、要求が受け入れられた場合にビームフォーミングフレームをスキャンする。発見支援タイプがビームフォームトリガである場合、新規ＳＴＡは、ビームフォーミング開始時点にｍｍＷのスキャンを開始する。スロット構造要素、又はスロットスケジュール要素、又はこれらの両方のいずれかが提供された場合、新規ＳＴＡはＴＤＤ  ＳＰビームフォーミングを予想する。たとえこれらの要素が全く提供されなかった場合であっても、新規ＳＴＡは、やはりＴＤＤ  ＳＰビームフォーミングフレームを受け取ることができる。
【０１８５】
イニシエータは、送信７１３を含む上位周波数帯（例えば６０ＧＨｚ）でビームフォーミング６９６を開始する。図示の例では、ＡＰがイニシエータである。ビームフォーミングは、発見支援ウィンドウ長の期間７１４にわたって継続する。この例では、所与のウィンドウ長内にビームフォーミング７１６のウィンドウ０及びビームフォーミング７１８のウィンドウ１が存在することが分かる。ビームフォーミング中の周期的ビームフォーミングフレーム７２０も示す。新規ＳＴＡは、３つのオプション６９８、７００、７０２に示すようにスキャンを開始する。図示の第１のスキャンオプション６９８では、新規ＳＴＡが、その受信アンテナをスキャン７２１し、ドゥエルタイムを使用して、ｍｍＷ帯でのＲＸアンテナパターン７２２が指定されていればこれを切り替え、ＳＳＷフレームを発見すると、そのスキャン期間を調整して完全同期モード７２４に切り替える。
【０１８６】
図示の第２のスキャンオプション７００では、スロット構造要素がＦＳＴ設定応答フレームを有する場合、新規ＳＴＡは、スロット構造要素の情報を使用して完全同期モードへの切り替えを直接行う７２６ことができ、この場合、新規ＳＴＡは、ＢＳＳ  ＳＴＡが新たなＳＳＷフレームを送信した時には必ずそのＲＸアンテナパターンを切り替え、この変更をアンテナパターン７２８、７３０、７３２、７３４及び７３６として示す。
【０１８７】
図示の第３のスキャンオプション７０２では、スロット構造要素及びスロットスケジュール要素がＦＳＴ設定応答フレームを有する場合、新規ＳＴＡは、スロットスケジュール要素からビームフォーミングスロットスケジュール情報を抽出し、ＳＳＷフレームが送信される時間中にのみスキャン７３８を行うことができる。これにより、スキャン期間の効率を高めてスキャン電力消費を抑えることができる。これらのスキャン中の異なるアンテナパターン７４０、７４２、７４４、７４６及び７４８を示す。
【０１８８】
新規ＳＴＡは、ビームフォーミング開始時間から発見支援ウィンドウ長期間が過ぎた後、又は上位帯（例えば、６０ＧＨｚなどのｍｍＷ）でのＢＳＳ  ＳＴＡとのビームフォーミングを終えた時にスキャンを停止することができる。
【０１８９】
９．２．１．情報要素パラメータ設定
ＦＳＴ設定要求フレーム及び応答フレームは、発見支援有効フィールドが設定されたマルチバンド要素、並びにフレームを送信するＳＴＡのＤＭＧ能力及び発見支援要素を反映するＤＭＧ能力要素と共に低帯域で送信される。
【０１９０】
ＦＳＴ応答は、スロット構造要素と、ＴＤＤ−ＳＰビームフォーミングプロセスに関する追加情報を新規ＳＴＡに提供するスロットスケジュール要素とを含むことができる。ここでは、拡張スケジュール要素がＦＳＴ設定応答フレームと共に送信されない。
【０１９１】
９．２．１．１．ＦＳＴ設定要求フレームでの発見支援
図３６及び図３７に、ＦＳＴ設定要求フレーム（図３６）及びその発見支援制御フィールド（図３７）の実施形態例７５０、７７０を示す。ＮＡで表記したフィールド及びサブフィールドは、ＦＳＴ設定要求フレームでの発見支援のために確保される。
【０１９２】
図３６では、ＦＳＴ設定要求フレームが以下のフィールドを有する。図示の要素ＩＤ、要素ＩＤ拡張部及び長さは、要素のタイプ及びそのタイプの長さを識別する他のメッセージと同様である。発見支援制御フィールドについては、そのサブフィールドを図３７に示す。ＢＴＩ、ビームフォーミング開始ＴＳＦ、発見支援ウィンドウ長、及び一時的ＡＩＤは、この文脈では該当なしのためＮＡとして表記する。ドゥエルタイムは、各ビーム間の時間がドゥエルタイムに等しい指向性ビームで新規ＳＴＡが媒体をスキャンしていることを示すために任意に使用される。このフィールドがゼロに設定された場合には、初期スキャンが準全方向であることを示す。（支援ＩＤ）フィールドは、新規ＳＴＡに対する一時的ＡＩＤを表す、ＢＳＳ  ＳＴＡが新規ＳＴＡに割り当てる値を含む。
【０１９３】
図３７では、図３６に示す発見支援制御フィールドのサブフィールドが以下の通りである。要求／応答指示サブフィールドは、要求に設定すべきである。発見支援タイプは、ビームフォームトリガに設定されると、ビームフォーミングフレームのトリガを通じた発見支援を行うための要求を示すことができる。この要求は、ＢＳＳ  ＳＴＡの決定によって無効にすることができる。他の実装は、このサブフィールドを無視して、ＢＳＳ  ＳＴＡによって決定された発見支援タイプの選択を行うことができる。発見支援応答マップ、時間単位、ビームフォーミング期間、断片化ＴＸＳＳ、及びＴＸＳＳスパンは、全てこの文脈では該当なしのためＮＡとして表記する。
【０１９４】
９．２．１．２．ＦＳＴ設定応答フレームでの発見支援
図３８及び図３９に、ＦＳＴ設定応答フレーム（図３８）及びその発見支援制御フィールド（図３９）の実施形態例７９０、８１０を示す。ＮＡで表記したフィールド及びサブフィールドは、ＦＳＴ設定要求フレームでの発見支援のために確保される。
【０１９５】
図３８には、要素のタイプ及びそのタイプの長さを識別する他のメッセージと同様の要素ＩＤ、要素ＩＤ拡張部及び長さを含むＦＳＴ設定応答フレームを示す。発見支援制御フィールドについては、そのサブフィールドを図３９に示す。ゼロに等しいＢＴＩフィールドは、ビームフォーミングがＴＤＤビームフォーミングであることを示すことができる。ビームフォーミング開始ＴＳＦは、時間領域複信（ＴＤＤ）ビームフォームフレームの開始時間を示す。発見支援ウィンドウは、ＢＳＳ  ＳＴＡが発見支援をオファーしている時間を示す。ドゥエルタイムは、各ビーム間の時間がドゥエルタイムに等しい指向性ビームで新規ＳＴＡが媒体をスキャンしていることを示す。一時的ＡＩＤ（支援ＩＤ）フィールドは、この文脈では該当なしである。
【０１９６】
図３９では、図３８に示す発見支援制御フィールドのサブフィールドが以下の通りである。要求／応答指示サブフィールドは、応答に設定すべきである。発見支援タイプは、ビームフォームトリガに設定されると、オファーされている発見支援タイプを示す。発見支援マップは、発見支援要求の応答に設定される。このフィールドの値が拒絶を反映するようなものである場合、要素内の他の全てのフィールドは無視することができる。時間単位、ビームフォーミング期間、断片化ＴＸＳＳ、及びＴＸＳＳスパンは、この文脈では適用できないことを示すＮＡとして表記されている。
【０１９７】
９．３．ビームフォーミングスケジューリングを通じた発見支援
図４０は、ビームフォームスケジューリングを通じた発見支援の実施形態例８３０を示す。図の上部には、ＢＳＳ  ＡＰ  ＳＴＡ  ８３２及び新規ＳＴＡ８３４による発見帯（ｓｕｂ−６ＧＨｚなどの低帯域）を介した通信を示し、図の下部には、ＡＰ８３６、第１のオプション８３８を使用する新規ＳＴＡ、及び第２のオプション８４０を使用する新規ＳＴＡの通信帯（本明細書に例示する上位帯、限定するわけではないが６０ＧＨｚ）を介した通信を示す。
【０１９８】
ＡＰは、マルチバンド能力及びＤＡ能力を示すｓｕｂ−６ＧＨｚビーコン８４２を送信し、これを新規ＳＴＡが受け取る８４４ことが分かる。新規ＳＴＡは、発見されたＢＳＳ  ＡＰとの接続を低帯域で形成する。新規ＳＴＡは、ＦＳＴ設定要求フレーム８４６を送信し、以下の要素をＦＳＴ設定要求フレームに添付する。（ａ）マルチバンド要素は、新規ＳＴＡが支援を要求している帯域及びチャネルを示すために添付される。（ｂ）要求に設定された要求／応答サブフィールドを含む発見支援要素。（ｃ）指向性通信帯（ＤＭＧ）能力要素などの能力要素が添付される。ＤＭＧ能力情報は、ＷＬＡＮ８０２．１１標準によって規定されるように利用され、新規ＳＴＡのアンテナ構成及びＴＤＤ  ＳＰのサポート可能性を含む、新規ＳＴＡに関する情報を提供する。
【０１９９】
ＢＳＳ  ＡＰは、発見支援要素及びその他の能力要素及びマルチバンド要素を含むＦＳＴ設定要求を受け取り、新規ＳＴＡに発見支援をオファーすべきか否かを決定する。ＢＳＳ  ＡＰは、支援をオファーすることを決定し、発見支援要素と、拡張スケジュール要素と、利用可能な場合にはマルチバンド要素と、スロット構造要素と、スロットスケジュール要素とを含むＦＳＴ設定応答フレーム８４８を送信する。ＤＡ要素は、以下のような情報を含む。（ａ）ＦＳＴ設定要求フレームに添付される場合又は予め送信される場合、マルチバンド要素に示される帯域及びチャネルでＡＰが新規ＳＴＡの支援を受け入れるか、それとも拒絶するかを示す発見支援応答マップ。決定がＤＡを受け入れることである場合、以下のフィールド及びサブフィールドが使用される。（ｂ）発見支援タイプサブフィールドは、スケジュールされたビームフォーミングに設定される。この設定は、ＢＩのスケジューリング期間８５２内にビームフォーミングを実行すべきであり、スケジューリング期間の詳細が、ＤＡ要素と共にＦＳＴ設定応答要素で提供されるべき拡張スケジュール要素内に存在することを示す。（ｃ）発見支援ウィンドウ長は、ＢＳＳ  ＳＴＡが新規ＳＴＡの発見目的でビームフォーミング信号８５４を送信する時間を示す。（ｄ）ドゥエルタイムは、ビームフォーミングフレームがスイープを行う速度を示すことができる。新規ＳＴＡは、このフィールドを使用して、ＴＤＤビームフォーミングフレームのスキャンのために受信アンテナパターンをスイープする期間を決定することができる。
【０２００】
ＢＳＳ  ＡＰは、ＦＳＴ設定要求、具体的にはｍｍＷ帯での発見支援期間中８５４における新規ノードのビームフォーミングプロセスを設計する新規ノードアンテナ構成と共に送信された情報をＤＭＧ能力内で使用する。ＢＳＳ  ＳＴＡは、新規ＳＴＡのＴＸ及びＲＸアンテナパターンの数及び相互依存状態が分かると、例えばＳＳＷフレームを送信するために割り当てられる新規ＳＴＡのスロットの数を調整し、又は新規ＳＴＡのＲＸアンテナをビームフォーミングするための正しい数のトレーニングフィールドを割り当てることができる。
【０２０１】
ＢＳＳｍｍＷ  ＳＴＡは、ｍｍＷ帯において新規ＳＴＡをビームフォーミングすべきＢＩ内の時点をスケジュールする。ＢＳＳ  ＳＴＡは、拡張スケジュール要素内にスケジュール情報を追加し、これをＦＳＴ設定応答フレームに添付する。ＢＳＳｍｍＷ  ＳＴＡは、ＤＡ要素ビームフォーミング期間サブフィールドにスケジューリング期間の周期性を含めることによって、この割り当てをビームフォーミング期間毎に繰り返すことができる。
【０２０２】
拡張スケジュール要素は、ＡＰが新規ＳＴＡとビームフォーミングすると予想されるＤＴＩ期間内の（単複の）期間８５２に関する情報を含む。ビームフォーミング開始時間は、拡張スケジュール要素情報がアクティブであるＢＩを示すことができる。ビームフォーミング期間サブフィールドが使用される場合、ＢＳＳ  ＡＰは、拡張スケジュール要素において識別される同じ期間をビームフォーミング期間毎にスケジュールする。ＢＳＳ  ＡＰは、周期的な狭いビーコンヘッダ間隔（ＢＨＩ）８５０、繰り返しスケジュールされるビームフォーミング８５６及びさらなる狭いＢＨＩ８５８で示すビームフォーミング８４９の送信を開始する。
【０２０３】
新規ＳＴＡは、発見支援ウィンドウ８５４の終了までビームフォーミング期間毎に支援を予想する。新規ＳＴＡは、発見帯（低帯域）でＦＳＴ設定応答を受け取ると指向性通信帯（ｍｍＷ）に切り替え、要求が受け入れられた場合にビームフォーミングフレームをスキャンする。発見支援タイプがスケジュールされたビームフォーミングである場合、新規ＳＴＡは、ＦＳＴ設定応答フレームに添付されて提供される拡張スケジュール要素からスケジューリング情報８７５を抽出する。
【０２０４】
新規ＳＴＡは、以下のような多くの方法でスキャンすることができる。図示の第１のスキャンオプション８３８では、予備のＳＰがＴＤＤ  ＳＰであるようにビームフォーミング期間がスケジュールされた場合、新規ＳＴＡはＴＤＤビームフォーミングフレームを予想する。ＡＰは、ＦＳＴ設定応答フレームと共にスロット構造要素及びスロットスケジュール要素を送信して、上述したようにスキャン８６０をより効率化することができる。
【０２０５】
第２のスキャンオプション８４０では、以下が実行される。スケジュールされたビームフォーミングが非ＴＤＤ  ＳＰであり、ソースが新規ＳＴＡを示す場合には、新規ＳＴＡがイニシエータであると予想され、（単複の）割り当て期間内にビームフォーミングフレーム８７０の送信を開始すべきである。スケジュールされたビームフォーミングが非ＴＤＤ  ＳＰであり、ソースがＢＳＳ  ＳＴＡを示す場合には、ＢＳＳ  ＳＴＡがイニシエータであると予想され、（単複の）割り当て期間内にビームフォーミングフレームの送信を開始すべきである。
【０２０６】
新規ＳＴＡは、ビームフォーミング開始時間から発見支援ウィンドウ長期間が過ぎた後、又はｍｍＷ帯でＢＳＳ  ＳＴＡとビームフォーミングを行った時にスキャンを停止することができる。
【０２０７】
９．３．１．非ＴＤＤスケジュールされたＤＡの情報要素設定
ＦＳＴ設定要求フレーム及び応答フレームは、発見支援有効フィールドが設定されたマルチバンド要素と共に低帯域で送信され、指向性通信帯（ＤＭＧ）能力要素は、フレームを送信するＳＴＡのＤＭＧ能力及び発見支援要素を反映する。拡張スケジュール要素は、発見支援がビームフォーミング期間のスケジュールされた割り当てを通じたものであること示すＦＳＴ設定応答フレームと共に送信される。
【０２０８】
９．３．１．１．ＦＳＴ設定要求フレームでの発見支援
図４１及び図４２に、ＤＡ  ＦＳＴ設定要求フレーム（図４１）、及びこの発見設定要求フレームの発見支援制御フィールド（図４２）の実施形態例８９０、９１０を示す。ＮＡで表記したフィールド及びサブフィールドは、ＦＳＴ設定要求フレームでの発見支援のために確保される。
【０２０９】
図４１では、ＤＡ  ＦＳＴ設定要求フィールドが以下のフィールドを有する。図示の要素ＩＤ、要素ＩＤ拡張部及び長さは、要素のタイプ及びそのタイプの長さを識別する他のメッセージと同様である。発見支援制御フィールドについては、そのサブフィールドを図４２に示す。ドゥエルタイムは、各ビーム間の時間がドゥエルタイムに等しい指向性ビームで新規ＳＴＡが媒体をスキャンしていることを示すために任意に使用される。このフィールドがゼロに設定された場合には、初期スキャンが準全方向に行われることを示す。ＢＴＩ、ビームフォーミング開始ＴＳＦ、発見支援ウィンドウ長、及び一時的ＡＩＤフィールドは、この文脈では該当なしのためＮＡとして表記する。
【０２１０】
図４２では、図４１に示す発見支援制御フィールドのサブフィールドが以下の通りである。要求／応答指示サブフィールドは、要求に設定すべきである。発見支援タイプは、ビームフォーミングに設定されると、スケジュールされたＳＰ又はＣＢＡＰ期間を通じた発見支援を行うための要求を示すことができる。この要求は、ＢＳＳ  ＳＴＡの決定によって無効にすることができる。他の実装は、このサブフィールドを無視して、例えばＢＳＳ  ＳＴＡによって決定された発見支援タイプを選択することができる。
【０２１１】
９．３．１．２．ＦＳＴ設定応答フレームでの発見支援
図４３及び図４４に、ＦＳＴ設定応答フレーム（図４３）、及びこの設定応答フレームの発見支援制御フィールド（図４４）の実施形態例９３０、９５０を示す。ＮＡで表記したフィールド及びサブフィールドは、ＦＳＴ設定要求フレームでの発見支援のために確保される。
【０２１２】
図４３では、ＤＡ  ＦＳＴ設定応答フレームが以下のフィールドを有する。図示の要素ＩＤ、要素ＩＤ拡張部及び長さは、要素のタイプ及びそのタイプの長さを識別する他のメッセージと同様である。発見支援制御フィールドについては、そのサブフィールドを図４４に示す。ＢＴＩ、及びビームフォーミング開始ＴＳＦフィールドは、この文脈では該当なしのためＮＡとして表記する。発見支援ウィンドウは、ＢＳＳ  ＳＴＡが発見支援をオファーしている時間を示す。ドゥエルタイムは、各ビーム間の時間がドゥエルタイムに等しい指向性ビームで新規ＳＴＡが媒体をスキャンしていることを示す。一時的ＡＩＤは、新規ＳＴＡの一時的ＡＩＤを表す、ＢＳＳ  ＳＴＡが新規ＳＴＡに割り当てる値を含む。拡張スケジュール要素が提供される場合、新規ＳＴＡはこの値を使用して、ＢＳＳ  ＳＴＡが新規ＳＴＡにスケジュールした期間を識別する。
【０２１３】
図４４では、図４３に示す発見支援制御フィールドのサブフィールドが以下の通りである。要求／応答指示サブフィールドは、応答に設定すべきである。発見支援タイプは、スケジュールされたビームフォーミングに設定されると、オファーされている発見支援タイプを示す。発見支援マップは、発見支援要求の応答に設定される。フィールドの値が拒絶を反映するような場合、要素内の他の全てのフィールドは無視することができる。残りのフィールドは、この文脈では該当なしのためＮＡとして表記する。
【０２１４】
９．３．１．３．拡張スケジュール要素
図４５〜図４７に、拡張スケジュール要素（図４５）、割り当てフィールドのフォーマット（図４６）、及び割り当て制御サブフィールドフォーマット（図４７）の実施形態例９７０、９９０、１０１０を示す。以下のフィールド及びサブフィールドは、発見支援に必要であって以下のように設定され、残りのフィールドは、８０２．１１ＷＬＡＮ標準文書に記載されるように設定される。
【０２１５】
図４５では、各拡張スケジュール要素が、要素ＩＤフィールド、長さフィールド、及びここでは割り当て１〜割り当てｎとして示す割り当て数を有することが分かる。割り当てフィールドの例は図４６に示す。
【０２１６】
図４６には、図４７に詳細に示す割り当て制御フィールドを有する割り当てフィールドフォーマットを示す。割り当てブロックは、識別子（ＩＤ）サブフィールドを有する。ＢＦ制御サブフィールドは、ビームフォーミングが有効になってビームフォーミングの詳細が示されるように設定される。ソースＡＩＤフィールドは、ＢＳＳ  ＳＴＡがビームフォーミングを開始する場合にはＢＳＳ  ＳＴＡ  ＡＩＤを表し、新規ＳＴＡがビームフォーミングを開始する場合には新規ＳＴＡの一時的ＡＩＤ（又は予備のＡＩＤ）を表す。宛先ＡＩＤは、新規ＳＴＡがビームフォーミングを開始する場合にはＢＳＳ  ＳＴＡ  ＡＩＤを表し、ＢＳＳ  ＳＴＡがビームフォーミングを開始する場合には新規ＳＴＡの一時的ＡＩＤ（又は予備のＡＩＤ）を表す。割り当て開始は、ビームフォーミング割り当て期間の開始時間を示す。割り当てブロック継続時間、割り当てブロック数及び割り当てブロック期間は、ＤＴＩ期間内の割り当てを示す。
【０２１７】
図４７では、割り当て制御フィールドのサブフィールドが以下の通りである。割り当てＩＤは、ＢＳＳ  ＳＴＡによって指示された値に設定される。割り当てタイプは、ＳＰ又はＣＢＡＰとすることができる。疑似スタティックは、発見支援ウィンドウ長にわたって割り当てが繰り返されることを示す。ＴＤＤ適用可能ＳＰは、０に設定されると非ＴＤＤ  ＳＰを示す。
【０２１８】
９．３．２．ＴＤＤスケジュールされたＤＡの情報パラメータ
ＦＳＴ設定要求フレーム及び応答フレームは、発見支援有効フィールドが設定されたマルチバンド要素、並びにフレームを送信するＳＴＡのＤＭＧ能力及び発見支援要素を反映する指向性通信帯（ＤＭＧ）能力要素と共に発見帯（低帯域）で送信される。ＤＭＧ能力要素は、両装置においてＴＤＤ−ＳＰが正しく機能するようにサポートされていることを示すべきである。拡張スケジュール要素は、ビームフォーミング期間のスケジュールされた割り当てを通じて発見支援が実行されることを示すように、ＦＳＴ設定応答フレームと共に送信される。ＦＳＴ設定応答は、より効率的なスキャンのために、スロット構造要素及びスロットスケジュール要素を搬送してＴＤＤ−ＳＰに関する情報を新規ＳＴＡに提供することができる。
【０２１９】
９．３．２．１．ＦＳＴ設定要求フレームでの発見支援
図４８及び図４９に、ＦＳＴ設定要求フレームにおける発見支援（図４８）、及びこの設定要求フレームの発見支援制御フィールド（図４９）の実施形態例１０３０、１０５０を示す。
【０２２０】
図４８では、ＦＳＴ設定要求内の発見支援が以下のフィールドを有する。図示の要素ＩＤ、要素ＩＤ拡張部及び長さは、要素のタイプ及びそのタイプの長さを識別する他のメッセージと同様である。発見支援制御フィールドについては、そのサブフィールドを図４９に示す。ドゥエルタイムは、各ビーム間の時間がドゥエルタイムに等しい指向性ビームで新規ＳＴＡが媒体をスキャンしていることを示すために任意に使用される。このフィールドがゼロに設定された場合には、初期スキャンが準全方向であることを示す。残りのフィールドは、この文脈では該当なしのためＮＡとして表記する。
【０２２１】
図４９には、以下のサブフィールドを有する発見支援制御フィールドを示す。要求／応答指示サブフィールドは、要求に設定すべきである。発見支援タイプは、スケジュールされたビームフォーミングに設定されると、スケジュールされたＳＰ又はＣＢＡＰ期間を通じて発見支援を行う要求を示すことができる。この要求は、ＢＳＳ  ＳＴＡの決定によって無効にすることができる。他の実装は、このサブフィールドを無視して、ＢＳＳ  ＳＴＡによって決定された発見支援タイプを選択することができる。残りのフィールドは、この文脈では該当なしのためＮＡとして表記する。
【０２２２】
９．３．２．２．ＦＳＴ設定応答フレームでの発見支援
図５０及び図５１に、ＦＳＴ設定応答フレームのＤＡ（図５０）、及びこの設定要求フレームの発見支援制御フィールド（図５１）の実施形態例１０７０、１０９０を示す。ＮＡで表記したフィールド及びサブフィールドは、ＦＳＴ設定要求フレームでの発見支援のために確保される。
【０２２３】
図５０には、以下のフィールドを有するＦＳＴ設定応答フレームのＤＡを示す。図示の要素ＩＤ、要素ＩＤ拡張部及び長さは、要素のタイプ及びそのタイプの長さを識別する他のメッセージと同様である。発見支援制御フィールドについては、そのサブフィールドを図５１に示す。開始ＴＳＦフィールドは、ＴＤＤビームフォームフレームの開始時間を示す。ＤＡウィンドウ長は、ＢＳＳ  ＳＴＡが発見支援をオファーしている時間を示す発見支援ウィンドウである。ドゥエルタイムフィールドは、各ビーム間の時間がドゥエルタイムに等しい指向性ビームで新規ＳＴＡが媒体をスキャンしていることを示すドゥエルタイムである。一時的ＡＩＤフィールドは、新規ＳＴＡに対する一時的ＡＩＤを表す、ＢＳＳ  ＳＴＡが新規ＳＴＡに割り当てる値を含む。拡張スケジュール要素が提供される場合、新規ＳＴＡはこの値を使用して、ＢＳＳ  ＳＴＡが新規ＳＴＡにスケジュールした期間を識別する。残りのフィールドは、この文脈では該当なしのためＮＡとして表記する。
【０２２４】
図５１には、以下のサブフィールドを有する図５０の発見支援制御フィールドを示す。要求／応答指示サブフィールドは、応答に設定すべきである。発見支援タイプは、スケジュールされたビームフォーミングに設定されると、オファーされている発見支援タイプを示す。発見支援マップは、発見支援要求の応答に設定される。フィールドの値が拒絶を反映するような場合、要素内の他の全てのフィールドは無視することができる。残りのフィールドは、この文脈では該当なしのためＮＡとして表記する。
【０２２５】
９．３．２．３．拡張スケジュール要素
図５２〜図５４に、拡張スケジュール要素（図５２）、割り当てフィールドのフォーマット（図５３）、及び割り当て制御サブフィールドフォーマット（図５４）の実施形態例１１１０、１１３０及び１１５０を示す。以下のフィールド及びサブフィールドは、発見支援に利用されて以下のように設定され、残りのフィールドは、８０２．１１ＷＬＡＮ標準文書に記載されるように設定される。
【０２２６】
図５２では、拡張スケジュール要素が、要素ＩＤフィールド、長さフィールド、及びここでは割り当て１〜割り当てｎとして示す割り当ての数を有することが分かる。割り当てフィールドの例は図５３に示す。
【０２２７】
図５３には、以下のフィールドを有する割り当てフィールドフォーマットを示す。割り当て制御サブフィールについては図５４で説明する。ＢＦ制御サブフィールドは、ビームフォーミングが有効になってビームフォーミングの詳細が示されるように設定される。ソースＡＩＤは、ＢＳＳ  ＳＴＡ  ＡＩＤを表す。宛先ＡＩＤは、新規ＳＴＡを表す。割り当て開始は、ビームフォーミング割り当て期間の開始時間を示す。サブフィールド割り当てブロック継続時間、ブロックの数及び割り当てブロック期間は、ＤＴＩ期間内の割り当てを示す。
【０２２８】
図５４には、以下のサブフィールドを有する割り当て制御フィールドを示す。以下のフィールド及びサブフィールドは、発見支援に必要であって以下のように設定され、残りのフィールドは８０２．１１ＷＬＡＮ標準文書に記載されるように設定され、従ってさらに詳細には説明しない。割り当てＩＤは、ＢＳＳ  ＳＴＡによって指示された値に設定される。割り当てタイプはＳＰである。疑似スタティックサブフィールドは、発見支援ウィンドウ長にわたって割り当てが繰り返されることを示す。切り捨て可能サブフィールドは、ソースＤＭＧ  ＳＴＡ及び宛先ＤＭＧ  ＳＴＡがＳＰ割り当てのＳＰ切り捨てを要求できるかどうかを示す。拡張可能サブフィールドは、ソースＤＭＧ  ＳＴＡ及び宛先ＤＭＧ  ＳＴＡがＳＰ割り当てのＳＰ拡張を要求できるかどうかを示す。ＰＣＰアクティブサブフィールドは、ＰＣＰがアクティブモードである時に、ＣＢＡＰ又はＳＰ中の送信又は受信にＰＣＰが利用可能であるかどうかを示す。ＬＰ  ＳＣ使用は、このＳＰ内で低電力ＳＣモードが使用されるかどうかを示す。ＴＤＤ適用可能ＳＰは、１に設定されるとＴＤＤ  ＳＰを示す。
【０２２９】
１０．複数のｍｍＷチャネルを介したＤＡ拡張
ＢＳＳ  ＡＰは、例えばチャネル１及びチャネル２上でｍｍＷ帯を介して複数のＢＳＳを動作させる場合、チャネル１及びチャネル２の両方に発見支援をオファーすることができる。この場合、ＢＳＳ  ＡＰは、両チャネルでビームフォームフレーム又は発見信号をトリガして異なる時点にビームフォームスケジュールを割り当てることによって、両チャネルで同時に発見支援をサポートすることができる。本開示には、複数のチャネル（例えば、チャネル１及びチャネル２）を介したビームフォーミングスケジューリングの例を示すが、同じ方法及びフレームを使用して、９．１節及び９．２節で説明したビームフォームトリガを有効にすることもできる。
【０２３０】
１０．１  ＦＳＴ設定要求フレームフォーマット
新規ＳＴＡは、ＢＳＳ  ＳＴＡに発見支援を要求する際に、チャネルＸ及びチャネルＹでの発見支援を要求するために、以下の情報を含むＦＳＴ設定要求フレームなどのフレームを送信する。このＦＳＴ要求フレームの実施形態例は、１−カテゴリ、２−ＦＳＴアクション、３−ダイアログトークン、４−ＬＬＴ、５−セッション遷移、６−マルチバンド１、７−発見支援１、８−ＤＭＧ能力１、９−マルチバンド２、１０−発見支援２、１１−ＤＭＧ能力２、及び１２−必要に応じたその他の要素、といったフィールドを含む。
【０２３１】
カテゴリフィールド及びＦＳＴアクションフィールドは、フレームのタイプ（ＦＳＴ設定要求）を定める。マルチバンド１フィールドは、ＳＴＡが発見のトリガを要求しているＭＬＭＥのマルチバンド要素を含む。このフィールドは、チャネルＸの属性を指定する。発見支援１フィールドは、チャネルＸに関連する発見支援要素を含む。ＤＭＧ能力１フィールドは、チャネル１で通信する際のＳＴＡのＤＭＧ能力を含む。マルチバンド２フィールドは、ＳＴＡが発見のトリガを要求しているＭＬＭＥのマルチバンド要素を含む。このフィールドは、チャネルＹの属性を指定する。発見支援２フィールドは、チャネルＹに関連する発見支援要素を含む。ＤＭＧ能力２フィールドは、チャネルＹで通信する際のＳＴＡのＤＭＧ能力を含む。
【０２３２】
ＢＳＳ  ＡＰは、ＦＳＴ要求フレームの受信時に、要求されたチャネルにおいてセクタスイープをスケジュールできるかどうかを調べる。ＢＳＳ  ＡＰの手順の詳細については後節で説明する。
【０２３３】
１０．２．ＦＳＴ設定応答フレームフォーマット
ＢＳＳ  ＡＰは、複数のチャネルでの発見支援要求を受け入れると、複数のマルチバンド要素、発見支援要素及び拡張スケジュール要素を含むＦＳＴ設定応答フレームで応答する。ＢＳＳ  ＡＰは、チャネルＸ及びチャネルＹでの発見支援を受け入れると、以下の情報を含むＦＳＴ設定応答フレームを送信してチャネルＸ及びチャネルＹでの発見支援を確認する。
【０２３４】
ＦＳＴ応答フレームフォーマットは、１−カテゴリ、２−ＦＳＴアクション、３−ダイアログトークン、４−ＬＬＴ、５−セッション遷移、６−マルチバンド１、７−発見支援１、８−ＤＭＧ能力１、９−拡張スケジュール１、１０−スロット構造１（任意）、１１−スロットスケジュール１（任意）、１２−マルチバンド２、１３−発見支援２、１４−ＤＭＧ能力２、１５−拡張スケジュール２、１６−スロット構造２（任意）、１７−スロットスケジュール２（任意）、及び１８−必要に応じたその他の要素、といったフィールドを有する。
【０２３５】
カテゴリフィールド及びＦＳＴアクションフィールドは、フレームのタイプ（ＦＳＴ設定応答）を定める。マルチバンド１フィールドは、ＳＴＡが発見支援を確認しているＭＬＭＥのマルチバンド要素を含み、チャネルＸの属性を指定する。発見支援１フィールドは、フレーム内のこのフィールドの前に存在するマルチバンド要素によって指定されるチャネルで実行される確認された発見支援の属性を通知する発見支援要素を含む。発見支援１フィールドは、チャネルＸに関連する発見支援要素を含む。ＤＭＧ能力１フィールドは、チャネルＸ上で動作するＢＳＳ  ＳＴＡのＤＭＧ能力（指向性通信帯能力）を含む。拡張スケジュール１フィールドは、チャネルＸで発見支援が実行されるタイミングを示す拡張スケジュール要素を含む。スロット構造１フィールドは、チャネルＸ上のＴＤＤスロット構造を示すスロット構造要素を含む。スロットスケジュール１フィールドは、チャネルＸ上のスケジュール情報を示すスロットスケジュール要素を含む。マルチバンド２フィールドは、ＳＴＡが発見支援を確認しているＭＬＭＥのマルチバンド要素を含み、チャネルＹの属性を指定する。発見支援２フィールドは、チャネルＹ上で実行される確認された発見支援の属性を通知する発見支援要素を含む。ＤＭＧ能力２フィールドは、チャネルＹ上で動作するＢＳＳ  ＳＴＡのＤＭＧ能力を含む。拡張スケジュール２フィールドは、チャネルＹ上で発見支援が行われるタイミングを示す拡張スケジュール要素を含む。スロット構造２フィールドは、チャネルＹ上のＴＤＤスロット構造を示すスロット構造要素を含む。スロットスケジュール２フィールドは、チャネルＹ上のスケジュール情報を示すスロットスケジュール要素を含む。
【０２３６】
１０．３．複数のｍｍＷチャネルを介したビームフォーミングを通じたＤＡ
図５５に、複数の指向性通信帯（ｍｍＷ）チャネルを介したビームフォーミングを通じた発見支援の実施形態例１１７０を示す。図の上部には、ＢＳＳ  ＡＰ  ＳＴＡ１１７２及び新規ＳＴＡ１１７４による発見帯（ｓｕｂ−６ＧＨｚなどの低帯域）を介した通信を示し、図の下部には、チャネルＸ１１７６及びチャネルＹ１１７８上のＡＰ、並びにチャネルＸ１１８０及びチャネルＹ１１８２上の新規ＳＰＡの指向性通信帯（本明細書に例示する上位帯、限定するわけではないが６０ＧＨｚ）を介した通信を示す。
【０２３７】
ＡＰは、マルチバンド及びＤＡ能力を示すｓｕｂ−６ＧＨｚビーコン１１８４を送信し、これを新規ＳＴＡが受け取る（１１８６）ことが分かる。新規ＳＴＡは、発見支援（ＤＡ）要素を含むＦＳＴ設定要求１１８８を送信したことに応答して、低帯域上の発見されたＢＳＳ  ＡＰとの接続を形成し、以下の要素を添付する。（ａ）マルチバンド要素（マルチバンド１及びマルチバンド２）は、新規ＳＴＡが支援を要求している帯域及びチャネルを示すために添付される。ＢＳＳ  ＡＰが、ｍｍＷチャネル上で複数のＢＳＳを動作させることを示す場合、新規ＳＴＡは、自機がいずれかの候補ＢＳＳの一部になろうとする意欲を示す複数のマルチバンド要素を含む。（ｂ）要求／応答サブフィールドを含む発見支援要素（発見支援１及び発見支援２）は、要求に設定される。発見支援１は、マルチバンド１によって識別されるチャネルに対応し、発見支援２は、マルチバンド２によって識別されるチャネルに対応する。（ｃ）能力要素は、例えばＷＬＡＮ８０２．１１標準によって規定されるＤＭＧ能力要素と同様のものであり、新規ＳＴＡのアンテナ構成、及びＴＤＤ  ＳＰのサポートの可能性（ＤＭＧ能力１及びＤＭＧ能力２）を含む、新規ＳＴＡに関する情報を有する。ＤＭＧ能力１は、マルチバンド１によって識別されるチャネルに対応し、ＤＭＧ能力２は、マルチバンド２によって識別されるチャネルに対応する。
【０２３８】
ＢＳＳ  ＡＰは、発見支援要素、ＤＭＧ能力及びマルチバンド要素を含むＦＳＴ設定要求を受け取る。ＢＳＳ  ＡＰは、要求されたチャネルにおいてセクタスイープをスケジュールできるかどうかを調べる。ＢＳＳ  ＡＰは、これらのチャネルでセクタスイープを送信する正しいタイミングを発見できる場合、新規ＳＴＡが信号の１つを逃さずにスキャンを実行できるように、複数のチャネル上のセクタスイープを異なるタイミングでスケジュールする。
【０２３９】
次に、ＢＳＳ  ＡＰは、スケジュールされたタイミングを拡張スケジュール要素に符号化し、どのチャネルをいつスキャンすべきであるかを新規ＳＴＡに通知するために、この拡張スケジュール要素を含むＦＳＴ設定応答フレーム１１９０で応答する。
【０２４０】
ＢＳＳ  ＡＰは、複数のチャネルでの発見支援要求を受け入れると、複数のマルチバンド要素、発見支援要素及び拡張スケジュール要素を含むＦＳＴ設定応答フレーム１１９０で応答する。新規ＳＴＡは、たとえ複数のｍｍＷチャネルを介して発見支援を要求した場合でも、ＢＳＳ  ＡＰがセクタスイープ送信をスケジュールするのに適したタイミングを発見することができ、そのチャネルが新規ＳＴＡに対応できるほど十分な帯域幅を有する場合にのみ、そのチャネルでの発見支援を実行する。ＢＳＳ  ＡＰは、ＴＤＤ  ＳＰをサポートする場合、スロット構造要素及びスロットスケジュール要素を含むことができる。
【０２４１】
発見支援要素は、対応する指向性通信帯（ｍｍＷ）チャネル上で有効な以下の情報を含む。（ａ）ＦＳＴ設定要求フレームに添付される場合又は予め送信される場合、マルチバンド要素に示される帯域及びチャネルでＡＰが新規ＳＴＡの支援を受け入れるか、それとも拒絶するかを示す発見支援応答マップ。決定がＤＡを受け入れることである場合、以下のフィールド及びサブフィールドが使用される。（ｂ）発見支援タイプサブフィールドは、スケジュールされたビームフォーミングに設定される。この設定は、ＢＩのスケジューリング期間内にビームフォーミングを実行すべきであり、スケジューリング期間の詳細が、ＤＡ要素と共にＦＳＴ設定応答要素で提供される拡張スケジュール要素内に存在することを示す。（ｃ）発見支援ウィンドウ長は、ＢＳＳ  ＳＴＡが新規ＳＴＡの発見目的でビームフォーミング信号を送信する時間１１９８を示す。（ｄ）ドゥエルタイムは、ビームフォーミングフレームがスイープを行う速度を有することができる。新規ＳＴＡは、このフィールドを使用して、ＴＤＤビームフォーミングフレームをスキャンするために受信アンテナパターンをスイープする期間１１９６を決定することができる。
【０２４２】
ＢＳＳ  ＡＰは、ＦＳＴ設定要求、具体的には対応するｍｍＷチャネルでの発見支援期間中における新規ノードのビームフォーミングプロセスを設計する新規ノードアンテナ構成と共に送信された情報をＤＭＧ能力内で使用する。ＢＳＳ  ＳＴＡは、新規ＳＴＡのＴＸ及びＲＸアンテナパターンの数及び相互依存状態が分かると、例えばＳＳＷフレームを送信するために割り当てられる新規ＳＴＡのスロットの数を調整し、又は新規ＳＴＡのＲＸアンテナをビームフォーミングするための正しいトレーニングフィールドの数を割り当てることができる。
【０２４３】
ＡＰは、少なくとも発見支援ウィンドウ長１１９８に及ぶようにチャネルＸ１１９２及びチャネルＹ１２０４上でビームフォーミングを開始することが分かる。このビームフォーミングは、狭いビーコンヘッダ間隔（ＢＨＩ）１１９４、１２０２を含むことが分かる。ＢＳＳｍｍＷＳＴＡは、ｍｍＷチャネルにおいて新規ＳＴＡをビームフォームすべきＢＩ内の時点１１９６、１２０６をスケジュールする。ＢＳＳ  ＳＴＡは、拡張スケジュール要素内にスケジュール情報を追加し、これをＦＳＴ設定応答フレームに添付する。ＢＳＳｍｍＷ  ＳＴＡは、ＤＡ要素ビームフォーミング期間サブフィールドにスケジューリング期間の周期性を含めることによって、この割り当てをビームフォーミング期間毎に繰り返す（１２００）ことができる。
【０２４４】
拡張スケジュール要素は、ＡＰが対応するｍｍＷチャネル上で新規ＳＴＡとビームフォーミングすると予想されるＤＴＩ期間内の（単複の）期間に関する情報を含む。
【０２４５】
ビームフォーミング開始時間は、拡張スケジュール要素情報がアクティブであるＢＩを示すことができる。
【０２４６】
ビームフォーミング期間サブフィールドが使用される場合、ＢＳＳ  ＡＰは、拡張スケジュール要素において識別される同じ期間をビームフォーミング期間毎にスケジュールする。新規ＳＴＡは、発見支援ウィンドウ１１９８の終了までビームフォーミング期間毎に支援を予想することができる。
【０２４７】
新規ＳＴＡは、発見帯（低帯域）での発見支援の受け入れを通知するＦＳＴ設定応答を受け取ると、受け取ったフレーム内のマルチバンド要素に示されるｍｍＷチャネルに切り替える。新規ＳＴＡは、受け取ったＦＳＴ設定応答フレーム内の拡張スケジュール要素からスケジューリング情報を抽出し、各チャネル上のスケジュールされた時点にチャネル上で信号を送信／受信できるようにｍｍＷチャネルを切り替える。
【０２４８】
新規ＳＴＡは、ビームフォーミングフレームのスキャン又は送信１１８０、１１８２をチャネルＸ及びチャネルＹ上でそれぞれ行っており、それぞれ１２０５、１２１０でタイミングを示していることが分かる。
【０２４９】
チャネルにおけるスケジュールされた時間中、新規ＳＴＡは複数の方法でスキャンを行うことができる。
【０２５０】
（ａ）スケジュールされたビームフォーミング期間が、予備のＳＰがＴＤＤ  ＳＰであるような場合、新規ＳＴＡはＴＤＤビームフォーミングフレームを予想する。ＡＰは、ＦＳＴ設定応答フレームと共にスロット構造要素及びスロットスケジュール要素を送信して、上述したようにスキャンを効率化することができる。
【０２５１】
（ｂ）スケジュールされたビームフォーミングが非ＴＤＤ  ＳＰであってソースが新規ＳＴＡを示す場合には、新規ＳＴＡがイニシエータであると予想され、（単複の）割り当てられた期間内にビームフォーミングフレームの送信を開始すべきである。
【０２５２】
（ｃ）スケジュールされたビームフォーミングが非ＴＤＤ  ＳＰであってソースがＢＳＳ  ＳＴＡを示す場合には、ＢＳＳ  ＳＴＡがイニシエータであると予想され、割り当てられた期間にビームフォーミングフレームの送信を開始すべきである。
【０２５３】
新規ＳＴＡは、ビームフォーミング開始時間から発見支援ウィンドウ長期間が過ぎた後、又はｍｍＷ帯でのＢＳＳ  ＳＴＡとのビームフォーミング時にスキャンを停止することができる。
【０２５４】
１１．開示要素の概要
以下は、本開示に関連する態様の部分的要約である。
【０２５５】
ＢＳＳ  ＳＴＡは、発見帯（低帯域）での情報送信を通じてＢＳＳ  ＳＴＡを発見しようと試みるＳＴＡに発見支援を提供することができる。この情報は、新規ＳＴＡをどのように発見して新規ＳＴＡとどのようにビームフォーミングするかを新規ＳＴＡに通知する。この情報は、以下を含むことができる。（ａ）このＤＡ機能の指向性通信（ｍｍＷ）帯域での利用可能性。（ｂ）新規ＳＴＡから要求を受け取った時に新規ＳＴＡとの発見支援に従事するＢＳＳ  ＳＴＡの利用可能性。（ｃ）ビームフォーミング又は発見信号を開始すべきトリガ時間。（ｄ）ビームフォーミング又は発見信号の発生期間。（ｅ）ビームフォーミングのタイプ、及びどのＳＴＡがビームフォーミングフレーム交換を開始すべきであるか。（ｆ）ビームフォーミング又は発見信号送信を繰り返す周期性、及びＢＳＳ  ＳＴＡが発見支援モードにある期間。（ｇ）新規ＳＴＡが指向性スキャンを使用している場合のＲＸアンテナパターンスキャン周波数。
【０２５６】
マルチバンドＢＳＳは、その低帯域でのマルチバンド能力及び発見支援能力を広告し、発見支援要求に低帯域で応答することを通じて、ネットワーク内の他のＳＴＡに発見支援をオファーする。
【０２５７】
新規ＳＴＡは、ＢＳＳ  ＳＴＡに低帯域で発見支援要求を送信することを通じて発見支援を要求し、低帯域で応答を受け取る。新規ＳＴＡは、そのマルチバンド能力、ＤＭＧ能力をＢＳＳ  ＳＴＡに送信して、その能力をＢＳＳ  ＳＴＡに通知すべきである。
【０２５８】
発見支援をオファーするマルチバンドＢＳＳは、低帯域で発見支援要求を受け取った後に、新規ＳＴＡへのビームフォーミングをトリガ又はスケジュールすることができる。ＢＳＳ  ＳＴＡは、発見が行われる帯域に加えて、スケジューリング情報又はトリガ時間を低帯域で新規ＳＴＡに送信すべきである。
【０２５９】
発見支援をオファーするマルチバンドＢＳＳは、新規ＳＴＡの発見支援要求、及び低帯域でＴＤＤ  ＳＰをサポートする旨を伝えるＤＭＧ能力を受け取った後に、新規ＳＴＡへのＴＤＤビームフォーミングをトリガ又はスケジュールすることができる。ＢＳＳ  ＳＴＡは、発見が行われる帯域、並びに必要であれば全てのＴＤＤ−ＳＰスロット及びスケジューリング情報に加えて、スケジューリング情報又はトリガ時間を低帯域で新規ＳＴＡに送信すべきである。
【０２６０】
新規ＳＴＡは、発見支援要求で発見支援を要求している各チャネルのマルチバンド要素及びＤＭＧ能力を含む発見支援要求を低帯域を介して送信することによって、複数のチャネルを介して発見支援を要求することができる。ＢＳＳ  ＳＴＡは、支援をオファーする予定の各チャネルのマルチバンド要素、ＤＭＧ能力及び発見支援応答を含む、低帯域を通じた発見支援応答で応答する。ＢＳＳ  ＳＴＡは、これらの各チャネルにおいてビームフォーミングをスケジュールし、又はビームフォーミングをトリガすることができる。要求されたチャネルのいずれかでビームフォーミングがスケジュールされた場合、このチャネルの発見支援応答フレームと共にスケジュール要素が送信される。
【０２６１】
１２．実施形態の一般的範囲
提示した技術の説明した強化は、様々な無線通信局のプロトコル内に容易に実装することができる。また、無線通信局が、１又は２以上のコンピュータプロセッサ装置（例えば、ＣＰＵ、マイクロプロセッサ、マイクロコントローラ、コンピュータ対応ＡＳＩＣなど）、及び命令を記憶する関連するメモリ（例えば、ＲＡＭ、ＤＲＡＭ、ＮＶＲＡＭ、ＦＬＡＳＨ、コンピュータ可読媒体など）を含むように実装されることにより、メモリに記憶されたプログラム（命令）がプロセッサ上で実行されて、本明細書で説明した様々なプロセス法のステップを実行することが好ましいと理解されたい。
【０２６２】
当業者は、画像／ビデオ符号化及び復号に関連するステップを実行するコンピュータ装置の使用を認識しているため、図には簡略化のためにコンピュータ装置及びメモリ装置を示していない。提示した技術は、メモリ及びコンピュータ可読媒体が非一時的であり、従って一時的電子信号を構成しない限り、これらに関して限定するものではない。
【０２６３】
本明細書では、コンピュータプログラム製品としても実装できる、本技術の実施形態による方法及びシステム、及び／又は手順、アルゴリズム、ステップ、演算、数式又はその他の計算表現のフローチャートを参照して本技術の実施形態を説明することができる。この点、フローチャートの各ブロック又はステップ、及びフローチャートのブロック（及び／又はステップ）の組み合わせ、並びにあらゆる手順、アルゴリズム、ステップ、演算、数式、又は計算表現は、ハードウェア、ファームウェア、及び／又はコンピュータ可読プログラムコードの形で具体化された１又は２以上のコンピュータプログラム命令を含むソフトウェアなどの様々な手段によって実装することができる。理解されるように、このようなあらゆるコンピュータプログラム命令は、以下に限定されるわけではないが、汎用コンピュータ又は専用コンピュータ、又は機械を生産するための他のあらゆるプログラマブル処理装置を含む１又は２以上のコンピュータプロセッサ上によって実行して、コンピュータプロセッサ又は他のプログラマブル処理装置上で実行されるコンピュータプログラム命令が、（単複の）特定される機能を実施するための手段を生み出すようにすることができる。
【０２６４】
従って、本明細書で説明したフローチャートのブロック、並びに手順、アルゴリズム、ステップ、演算、数式、又は計算表現は、（単複の）特定の機能を実行する手段の組み合わせ、（単複の）特定の機能を実行するステップの組み合わせ、及びコンピュータ可読プログラムコード論理手段の形で具体化されるような、（単複の）特定の機能を実行するコンピュータプログラム命令をサポートする。また、本明細書で説明したフローチャートの各ブロック、並びに手順、アルゴリズム、ステップ、演算、数式、又は計算表現、及びこれらの組み合わせは、（単複の）特定の機能又はステップを実行する専用ハードウェアベースのコンピュータシステム、又は専用ハードウェアとコンピュータ可読プログラムコードとの組み合わせによって実装することもできると理解されるであろう。
【０２６５】
さらに、コンピュータ可読プログラムコードなどの形で具体化されるこれらのコンピュータプログラム命令を、コンピュータプロセッサ又は他のプログラマブル処理装置に特定の態様で機能するように指示することができる１又は２以上のコンピュータ可読メモリ又はメモリ装置に記憶して、これらのコンピュータ可読メモリ又はメモリ装置に記憶された命令が、（単複の）フローチャートの（単複の）ブロック内に指定される機能を実施する命令手段を含む製造の物品を生産するようにすることもできる。コンピュータプログラム命令をコンピュータプロセッサ又は他のプログラマブル処理装置によって実行し、コンピュータプロセッサ又は他のプログラマブル処理装置上で一連の動作ステップが実行されるようにしてコンピュータで実施される処理を生成し、コンピュータプロセッサ又は他のプログラマブル処理装置上で実行される命令が、（単複の）フローチャートの（単複の）ブロック、（単複の）手順、（単複の）アルゴリズム、（単複の）ステップ、（単複の）演算、（単複の）数式、又は（単複の）計算表現に特定される機能を実施するためのステップを提供するようにすることもできる。
【０２６６】
さらに、本明細書で使用する「プログラム」又は「プログラム実行文」という用語は、本明細書で説明した１又は２以上の機能を実行するために１又は２以上のコンピュータプロセッサが実行できる１又は２以上の命令を意味すると理解されるであろう。命令は、ソフトウェア、ファームウェア、又はソフトウェアとファームウェアとの組み合わせで具体化することができる。命令は、装置の非一時的媒体に局所的に記憶することも、又はサーバなどに遠隔的に記憶することもでき、或いは命令の全部又は一部を局所的に又は遠隔的に記憶することもできる。遠隔的に記憶された命令は、ユーザが開始することによって、或いは１又は２以上の要因に基づいて自動的に装置にダウンロード（プッシュ）することができる。
【０２６７】
さらに、本明細書で使用するプロセッサ、ハードウェアプロセッサ、コンピュータプロセッサ、中央処理装置（ＣＰＵ）及びコンピュータという用語は、命令、並びに入力／出力インターフェイス及び／又は周辺装置との通信を実行できる装置を示すために同義的に使用されるものであり、プロセッサ、ハードウェアプロセッサ、コンピュータプロセッサ、ＣＰＵ及びコンピュータという用語は、単一の又は複数の装置、シングルコア装置及びマルチコア装置、及びこれらの変種を含むように意図するものであると理解されるであろう。
【０２６８】
本明細書の説明から、本開示は、限定ではないが以下の内容を含む複数の実施形態を含むことができると理解されるであろう。
【０２６９】
１．ネットワークにおける無線通信装置であって、（ａ）発見帯及び指向性通信帯を含むマルチバンド通信能力を有する少なくとも１つの他の無線通信局と無線で通信するように構成された無線通信回路と、（ｂ）無線ネットワーク上で動作するように構成された局内の、前記無線通信回路に結合されたプロセッサと、（ｃ）前記プロセッサが実行できる命令を記憶した非一時的メモリと、を備え、（ｄ）前記命令は、前記プロセッサによって実行された時に、（ｄ）（ｉ）（Ａ）前記指向性通信帯について発見支援能力が利用可能であるかどうかを示すいずれかのメッセージフレームを前記発見帯で送信することによって自機の発見支援能力を通知するステップと、（ｄ）（ｉ）（Ｂ）前記無線ネットワークに参加しようと試みるいずれかの新規ノードから発見支援要求を受け取ったことに応答して生成される、新規ノードの指向性通信能力に関する情報を有する発見支援要素を含むメッセージを前記発見帯で送信するステップと、（ｄ）（ｉ）（Ｃ）交換された発見支援要素において受け取られた情報に従って、前記指向性通信帯とビームフォーミングとを切り替えるステップと、（ｄ）（ｉ）（Ｄ）前記ビームフォーミングプロセス中に受け取られた指向性情報に応答して、前記指向性通信帯を介して接続設定を確立するステップと、を実行することによって、前記無線通信回路を、前記無線ネットワークに参加しようと試みるいずれかの新規ノードを支援するように構成された、前記無線ネットワークに既に接続されているネットワークノードとして動作させるステップと、（ｄ）（ｉｉ）（Ａ）前記無線ネットワークに既に接続されている前記ネットワークノードから、前記発見帯を介して、発見支援能力の指示を含むメッセージフレームを受け取るステップと、（ｄ）（ｉｉ）（Ｂ）前記無線ネットワークに既に接続されている前記ネットワークノードに、前記発見帯を介して、新規ノードの指向性通信能力に関する情報を有する発見支援要素を含む要求メッセージを送信するステップと、（ｄ）（ｉｉ）（Ｃ）前記無線ネットワークに既に接続されている前記ネットワークノードから、前記発見帯を介して、発見支援要素を含む応答メッセージとしての前記要求メッセージに対する応答を受け取るステップと、（ｄ）（ｉｉ）（Ｄ）交換された発見支援要素支援要求及び発見支援応答交換において受け取られた情報に従って、前記指向性通信帯及びビームフォーミングに切り替えて、前記新規ノードをビームフォーミングプロセスにおいて発見するステップと、（ｄ）（ｉｉ）（Ｅ）前記ビームフォーミングプロセス中に受け取られた指向性情報に応答して、前記指向性通信帯を介した接続設定を確立するステップと、を実行することによって、前記無線通信回路を、前記無線ネットワークに参加しようと試みる新規ノードとして動作させるステップと、を実行する、装置。
【０２７０】
２．前記発見支援要素は、前記新規ノードから要求を受け取った時に前記新規ノードとの発見支援に従事する、前記無線ネットワークに既に接続されている前記ネットワークノードの利用可能性に関する情報を含む、いずれかの先行又は後続する実施形態の装置又は方法。
【０２７１】
３．  前記発見支援要素は、ビームフォーミング又は発見シグナリングが開始すべきトリガ時間に関する情報を含む、いずれかの先行又は後続する実施形態の装置又は方法。
【０２７２】
４．前記発見支援要素は、実行すべきビームフォーミングのタイプ、及び前記新規ノード又は前記無線ネットワークに既に接続されているネットワークノードがビームフォーミングフレーム交換を開始すべきであるかどうかに関する情報を含む、いずれかの先行又は後続する実施形態の装置又は方法。
【０２７３】
５．前記発見支援要素は、前記無線ネットワークに既に接続されている前記ネットワークノードのビームフォーミングプロセス又は発見信号送信を繰り返す周期性、及び前記無線ネットワークに既に接続されている前記ネットワークノードが発見支援モードに留まる予定の時間長に関する情報を含む、いずれかの先行又は後続する実施形態の装置又は方法。
【０２７４】
６．前記発見支援要素は、受信機アンテナパターンスキャン周波数に関する情報を含む、いずれかの先行又は後続する実施形態の装置又は方法。
【０２７５】
７．前記命令は、前記プロセッサによって実行された時に、発見支援を要求する前記新規ノードがそのマルチバンド能力及び指向性通信帯能力を含む発見支援要素を伝えて、前記無線ネットワークに既に接続されているネットワークノードにその能力を通知するステップを実行する、いずれかの先行又は後続する実施形態の装置又は方法。
【０２７６】
８．前記発見支援要素は、局アドレス、指向性通信帯能力情報、アンテナ能力情報、通信帯情報、通信帯スキャンモード、発見支援ウィンドウ、及びドゥエルタイムを含む、いずれかの先行又は後続する実施形態の装置又は方法。
【０２７７】
９．前記命令は、前記無線ネットワークに既に接続されていて前記ビームフォーミングプロセスを開始するネットワークノードとしてのステップを実行する前記プロセッサによって実行された時に、前記新規ノードとのトリガされたビームフォーミング又はスケジュールされたビームフォーミングのいずれかによる発見支援をオファーするステップと、前記新規ノードにビームフォーミングスケジュール又はビームフォーミングトリガに関する情報を送信するステップとをさらに含む、いずれかの先行又は後続する実施形態の装置又は方法。
【０２７８】
１０．前記命令は、前記無線ネットワークに既に接続されているネットワークノードとしてのステップを実行するプロセッサによって実行された時に、ＴＤＤサービス期間（ＳＰ）をサポートすることを前記発見帯を介して示す新規ノードの発見支援要求及び指向性通信帯能力を受け取った後に、時分割二重（ＴＤＤ）ビームフォーミングを使用する前記新規ノードとのトリガされたビームフォーミング又はスケジュールされたビームフォーミングの発見支援をオファーするステップをさらに含む、いずれかの先行又は後続する実施形態の装置又は方法。
【０２７９】
１１．前記命令は、前記無線ネットワークに既に接続されているネットワークノードとしてのステップを実行するプロセッサによって実行された時に、前記発見帯を介して前記新規ノードに、指向性通信帯ビームフォーミングスケジューリング情報又はトリガ時間を送信するステップをさらに含む、いずれかの先行又は後続する実施形態の装置又は方法。
【０２８０】
１２．前記命令は、前記無線ネットワークに既に接続されているネットワークノードとしてのステップを実行するプロセッサによって実行された時に、前記発見帯を介して時分割二重（ＴＤＤ）サービス期間（ＳＰ）スロット構造及びスケジューリング情報を送信するステップをさらに含む、いずれかの先行又は後続する実施形態の装置又は方法。
【０２８１】
１３．前記命令は、新規ノードとしてのステップを実行するプロセッサによって実行された時に、発見支援を要求している各チャネルのマルチバンド要素及び指向性通信帯能力を有する発見支援要素を含む要求メッセージを送信することによって、前記指向性通信帯の複数のチャネルを介して発見支援を要求する前記発見帯を介して通信するステップをさらに含む、いずれかの先行又は後続する実施形態の装置又は方法。
【０２８２】
１４．前記命令は、前記無線ネットワークに既に接続されているネットワークノードとしてのステップを実行するプロセッサによって実行された時に、支援をオファーする予定の前記新規ノードの各チャネルのマルチバンド要素、指向性通信帯能力を含む発見支援要素を有する応答メッセージを送信することによって、前記新規ノードの発見支援要求に応答するステップを含む、いずれかの先行又は後続する実施形態の装置又は方法。
【０２８３】
１５．前記命令は、前記無線ネットワークに既に接続されているネットワークノードとしてのステップを実行するプロセッサによって実行された時に、これらのチャネルの各々のスケジュールされたビームフォーミングを実行又はビームフォーミングをトリガするステップと、スケジュールされたビームフォーミングを実行すべきあらゆるチャネルについて前記発見帯を介したスケジュール要素を含めるステップとを含む、いずれかの先行又は後続する実施形態の装置又は方法。
【０２８４】
１６．  ネットワークにおける指向性無線通信方法であって、（ａ）発見帯及び指向性通信帯を含むマルチバンド通信能力を有する少なくとも１つの他の無線通信局と無線で通信する無線通信回路を動作させるステップと、（ｂ）（ｉ）前記指向性通信帯について発見支援能力が利用可能であるかどうかを示すいずれかのメッセージフレームを前記発見帯で送信することによって自機の発見支援能力を通知するステップと、（ｂ）（ｉｉ）前記無線ネットワークに参加しようと試みるいずれかの新規ノードから発見支援要求を受け取ったことに応答して生成される、新規ノードの指向性通信能力に関する情報を有する発見支援要素を含むメッセージを前記発見帯で送信するステップと、（ｂ）（ｉｉｉ）交換された発見支援要素において受け取られた情報に従って、前記指向性通信帯とビームフォーミングとを切り替えるステップと、（ｂ）（ｉｖ）前記ビームフォーミングプロセス中に受け取られた指向性情報に応答して、前記指向性通信帯を介して接続設定を確立するステップと、を実行することによって、前記無線通信回路を、前記無線ネットワークに参加しようと試みるいずれかの新規ノードを支援するように構成された、前記無線ネットワークに既に接続されているネットワークノードとして動作させるステップと、（ｃ）（ｉ）前記無線ネットワークに既に接続されている前記ネットワークノードから、前記発見帯を介して、発見支援能力の指示を含むメッセージフレームを受け取るステップと、（ｃ）（ｉｉ）前記無線ネットワークに既に接続されている前記ネットワークノードに、前記発見帯を介して、新規ノードの指向性通信能力に関する情報を有する発見支援要素を含む要求メッセージを送信するステップと、（ｃ）（ｉｉｉ）前記無線ネットワークに既に接続されている前記ネットワークノードから、前記発見帯を介して、発見支援要素を含む応答メッセージとしての前記要求メッセージに対する応答を受け取るステップと、（ｃ）（ｉｖ）交換された発見支援要素支援要求及び発見支援応答交換において受け取られた情報に従って、前記指向性通信帯及びビームフォーミングに切り替えて、前記新規ノードをビームフォーミングプロセスにおいて発見するステップと、（ｃ）（ｖ）前記ビームフォーミングプロセス中に受け取られた指向性情報に応答して、前記指向性通信帯を介した接続設定を確立するステップと、を実行することによって、前記無線通信回路を、前記無線ネットワークに参加しようと試みる新規ノードとして動作させるステップと、を含む方法。
【０２８５】
１７．前記発見支援要素は、前記新規ノードから要求を受け取った時に前記新規ノードとの発見支援に従事する、前記無線ネットワークに既に接続されている前記ネットワークノードの利用可能性に関する情報を含む、いずれかの先行又は後続する実施形態の装置又は方法。
【０２８６】
１８．前記発見支援要素は、実行すべきビームフォーミングのタイプ、及び前記新規ノード又は前記無線ネットワークに既に接続されているネットワークノードがビームフォーミングフレーム交換を開始すべきであるかどうかに関する情報を含む、いずれかの先行又は後続する実施形態の装置又は方法。
【０２８７】
１９．前記新規ノードが、発見支援を要求している各チャネルのマルチバンド要素及び指向性通信帯能力を有する発見支援要素を含む要求メッセージを送信することによって、前記指向性通信帯の複数のチャネルを介して発見支援を要求する前記発見帯を介して通信するステップをさらに含む、いずれかの先行又は後続する実施形態の装置又は方法。
【０２８８】
２０．低帯域で情報を送信することを通じてＢＳＳ  ＳＴＡを発見しようと試みるＳＴＡに発見支援を提供できるＢＳＳ  ＳＴＡ装置であって、この情報は、新規ＳＴＡを発見して新規ＳＴＡとビームフォーミングする方法を新規ＳＴＡに通知し、この情報は、（ａ）ｍｍＷ帯におけるこの機能の利用可能性、（ｂ）新規ＳＴＡから要求を受け取った際に新規ＳＴＡとの発見支援に従事するＢＳＳ  ＳＴＡの利用可能性、（ｃ）ビームフォーミング又は発見信号が開始すべきトリガ時間、（ｄ）ビームフォーミング又は発見信号が行われる期間、（ｅ）ビームフォーミングのタイプ、及びどのＳＴＡがビームフォーミングフレーム交換を開始すべきか、（ｆ）ビームフォーミング又は発見信号送信を繰り返す周期性、及びＢＳＳ  ＳＴＡが発見支援モードにある期間、及び（ｇ）新規ＳＴＡが指向性スキャンを使用する場合のＲＸアンテナパターンスキャン周波数、を含むことができる、ＢＳＳ  ＳＴＡ装置。
【０２８９】
２１．マルチバンドＢＳＳ装置が、そのマルチバンド能力及び発見支援能力を低帯域で広告して発見支援要求に低帯域で応答することを通じてネットワーク内の他のＳＴＡに発見支援をオファーするように構成される、いずれかの先行又は後続する実施形態の装置又は方法。
【０２９０】
２２．新規ＳＴＡが、ＢＳＳ  ＳＴＡに低帯域で発見支援要求を送信することによって発見支援を要求して低帯域で応答を受け取り、新規ＳＴＡは、そのマルチバンド能力、ＤＭＧ能力をＢＳＳ  ＳＴＡに送信して、その能力をＢＳＳ  ＳＴＡに通知すべきである、いずれかの先行又は後続する実施形態の装置又は方法。
【０２９１】
２３．発見支援をオファーするマルチバンドＢＳＳが、低帯域で発見支援要求を受け取った後に、新規ＳＴＡに対してビームフォーミングをトリガ又はスケジュールすることができ、ＢＳＳ  ＳＴＡは、発見が行われる帯域に加えて、スケジューリング情報又はトリガ時間を低帯域で新規ＳＴＡに送信すべきである、いずれかの先行又は後続する実施形態の装置又は方法。
【０２９２】
２４．発見支援をオファーするマルチバンドＢＳＳは、新規ＳＴＡの発見支援要求、及び低帯域でＴＤＤ  ＳＰをサポートする旨を伝えるＤＭＧ能力を受け取った後に、新規ＳＴＡに対してＴＤＤビームフォーミングをトリガ又はスケジュールすることができ、ＢＳＳ  ＳＴＡは、発見が行われる帯域、並びに必要であれば全てのＴＤＤ−ＳＰスロット及びスケジューリング情報に加えて、スケジューリング情報又はトリガ時間を低帯域で新規ＳＴＡに送信すべきである、いずれかの先行又は後続する実施形態の装置又は方法。
【０２９３】
２５．新規ＳＴＡは、発見支援要求で発見支援を要求している各チャネルのマルチバンド要素及びＤＭＧ能力を含む発見支援要求を低帯域を介して送信することによって、複数のチャネルを介して発見支援を要求することができ、ＢＳＳ  ＳＴＡは、支援をオファーする予定の各チャネルのマルチバンド要素、ＤＭＧ能力及び発見支援応答を含む、低帯域を通じた発見支援応答で応答し、ＢＳＳ  ＳＴＡは、これらの各チャネルにおいてビームフォーミングをスケジュールし、又はビームフォーミングをトリガすることができ、要求されたチャネルのいずれかでビームフォーミングがスケジュールされた場合、このチャネルの発見支援応答フレームと共にスケジュール要素が送信される、いずれかの先行又は後続する実施形態の装置又は方法。
【０２９４】
本明細書で使用する単数形の「ａ、ａｎ（英文不定冠詞）」及び「ｔｈｅ（英文定冠詞）」は、文脈において別途明確に示されていない限り複数形の照応を含む。ある物体に対する単数形での言及は、明確にそう述べていない限り「唯一」を意味するものではなく、「１又は２以上」を意味する。
【０２９５】
本明細書で使用する「組（ｓｅｔ）」という用語は、１又は２以上の物体の集合を意味する。従って、例えば物体の組は、単一の物体又は複数の物体を含むことができる。
【０２９６】
本明細書で使用する「実質的に（ｓｕｂｓｔａｎｔｉａｌｌｙ）」及び「約（ａｂｏｕｔ）」という用語は、わずかな変動の記述及び説明のために使用するものである。これらの用語は、事象又は状況に関連して使用した時には、これらの事象又は状況が間違いなく発生する場合、及びこれらの事象又は状況が発生する可能性が非常に高い場合を意味することができる。これらの用語は、数値に関連して使用した時には、その数値の±５％以下、±４％以下、±３％以下、±２％以下、±１％以下、±０．５％以下、±０．１％以下、又は±０．０５％以下などの、±１０％以下の変動範囲を意味することができる。例えば、「実質的に」整列しているということは、±５°以下、±４°以下、±３°以下、±２°以下、±１°以下、±０．５°以下、±０．１°以下、又は±０．０５°以下などの、±１０°以下の角度変動範囲を意味することができる。
【０２９７】
また、本明細書では、量、比率及びその他の数値を範囲形式で示すこともある。このような範囲形式は、便宜的に簡略化して使用するものであり、範囲の限界として明確に指定された数値を含むが、この範囲に含まれる全ての個々の数値又は部分的範囲も、これらの各数値及び部分的範囲が明確に示されているかのように含むものであると柔軟に理解されたい。例えば、約１〜約２００の範囲内の比率は、約１及び約２００という明確に列挙した限界値を含むが、約２、約３、約４などの個々の比率、及び約１０〜約５０、約２０〜約１００などの部分的範囲も含むと理解されたい。
【０２９８】
本明細書の説明は多くの詳細を含んでいるが、これらは本開示の範囲を限定するものではなく、現在のところ好ましい実施形態の一部を例示するものにすぎないと解釈すべきである。従って、本開示の範囲は、当業者に明らかになると考えられる他の実施形態も完全に含むと理解されるであろう。
【０２９９】
当業者に周知の本開示の実施形態の要素の構造的、化学的及び機能的同等物も、引用によって本明細書に明確に組み入れられ、本特許請求の範囲に含まれるように意図される。さらに、本開示の要素、構成要素又は方法ステップは、これらが特許請求の範囲に明示されているかどうかにかかわらず、一般に公開されるように意図するものではない。本明細書における請求項の要素については、その要素が「〜のための手段」という表現を使用して明確に示されていない限り、「ミーンズプラスファンクション」の要素として解釈すべきではない。また、本明細書における請求項の要素については、その要素が「〜のためのステップ」という表現を使用して明確に示されていない限り、「ステッププラスファンクション」の要素として解釈すべきではない。
【符号の説明】
【０３００】
５７０  ビーコンスイープを通じた発見支援の実施形態例
５７２  低帯域ＢＳＳ  ＡＰ
５７４  低帯域−新規ＳＴＡ
５７６  ｓｕｂ−６ＧＨｚ  ＡＰ
５７８  ６０ＧＨｚ−新規ＳＴＡスキャンオプション１
５８０  ６０ＧＨｚ−新規ＳＴＡスキャンオプション２
５８２  有効な発見支援を含むマルチバンドを示すビーコン
５８４  受け取られたビーコン
５８６  ＤＡ要素を含むＦＳＴ設定要求
５９０  ビームフォーミング開始までの時間
５９２  狭いＢＨＩ
５９４  発見支援ウィンドウ長
５９６  ビーコンスイープ
５９８  ビーコン間の期間
６００  狭いＢＨＩ
６０４  ビーコンスイープ
６０６  ビーコンスイープ
【図１】
2021525488.tif 000003
【図２】
2021525488.tif 000004
【図３】
2021525488.tif 000005
【図４】
2021525488.tif 000006
【図５】
2021525488.tif 000007
【図６】
2021525488.tif 000008
【図７】
2021525488.tif 000009
【図８】
2021525488.tif 000010
【図９Ａ】
2021525488.tif 000011
【図９Ｂ】
2021525488.tif 000012
【図１０】
2021525488.tif 000013
【図１１】
2021525488.tif 000014
【図１２】
2021525488.tif 000015
【図１３】
2021525488.tif 000016
【図１４】
2021525488.tif 000017
【図１５】
2021525488.tif 000018
【図１６】
2021525488.tif 000019
【図１７】
2021525488.tif 000020
【図１８Ａ】
2021525488.tif 000021
【図１８Ｂ】
2021525488.tif 000022
【図１９Ａ】
2021525488.tif 000023
【図１９Ｂ】
2021525488.tif 000024
【図２０】
2021525488.tif 000025
【図２１】
2021525488.tif 000026
【図２２】
2021525488.tif 000027
【図２３】
2021525488.tif 000028
【図２４】
2021525488.tif 000029
【図２５】
2021525488.tif 000030
【図２６】
2021525488.tif 000031
【図２７】
2021525488.tif 000032
【図２８】
2021525488.tif 000033
【図２９】
2021525488.tif 000034
【図３０】
2021525488.tif 000035
【図３１】
2021525488.tif 000036
【図３２】
2021525488.tif 000037
【図３３】
2021525488.tif 000038
【図３４】
2021525488.tif 000039
【図３５】
2021525488.tif 000040
【図３６】
2021525488.tif 000041
【図３７】
2021525488.tif 000042
【図３８】
2021525488.tif 000043
【図３９】
2021525488.tif 000044
【図４０】
2021525488.tif 000045
【図４１】
2021525488.tif 000046
【図４２】
2021525488.tif 000047
【図４３】
2021525488.tif 000048
【図４４】
2021525488.tif 000049
【図４５】
2021525488.tif 000050
【図４６】
2021525488.tif 000051
【図４７】
2021525488.tif 000052
【図４８】
2021525488.tif 000053
【図４９】
2021525488.tif 000054
【図５０】
2021525488.tif 000055
【図５１】
2021525488.tif 000056
【図５２】
2021525488.tif 000057
【図５３】
2021525488.tif 000058
【図５４】
2021525488.tif 000059
【図５５】
2021525488.tif 000060
【国際調査報告】
2021525488.tif 000061
2021525488.tif 000062
2021525488.tif 000063